(57)【要約】  ソフトコンバイニング復号技法を実施するマルチキャリアシステムのデバイス内共存干渉を識別し、軽減する方法、システム、およびデバイスが、説明される。いくつかの態様では、説明される技法は、ワイヤレスデバイスのトランシーバで共存干渉を受ける受信された信号の時間周波数リソースを識別することを含む。時間周波数リソースは、たとえば、シンボル、スロット、コードブロック、サブフレーム、副搬送波などを含むことができる。その後、リソース固有軽減が、たとえば時間領域、周波数領域、またはその両方で干渉されたリソースをスキップしまたはヌルにすることを含めて、識別されたリソースに適用され得る。いくつかの態様では、リソース固有軽減は、干渉されたリソースに対応する１つまたは複数の対数尤度比（ＬＬＲ）インスタンスをスキップしまたはヌルにすることによるなど、復号プロセスのソフトコンバイニング段で実行され得る。
2017526314.tif 000002
【特許請求の範囲】
【請求項１】
複数のトランシーバを備えるワイヤレスデバイスの第１のトランシーバを介して信号を受信することと、
干渉された時間周波数リソースを識別することと、前記干渉された時間周波数リソースが、共存干渉を受ける前記受信された信号の時間周波数リソースである、
前記干渉された時間周波数リソースに少なくとも部分的に基づいて、前記受信された信号の復号動作中に前記受信された信号に関するリソース固有軽減アクションを適用することと
を備える、ワイヤレス通信の方法。
【請求項２】
前記リソース固有軽減アクションを適用することは、
前記受信された信号のシンボル期間、スロット、サブフレーム、コードブロック、または副搬送波の少なくとも一部に関して前記受信された信号のサンプルをヌルにすることと、
前記ヌルにされたサンプルを前記復号動作に入力することと
を備える、請求項１に記載の方法。
【請求項３】
前記受信された信号の受信されたシンボルをヌルにすることは、前記受信されたシンボルにデフォルト値をセットすることを備える、請求項２に記載の方法。
【請求項４】
前記リソース固有軽減アクションを適用することは、
前記受信された信号のシンボル期間、スロット、サブフレーム、コードブロック、または副搬送波の少なくとも一部に関して前記受信された信号のサンプルの前記復号動作をスキップすること
を備える、請求項１に記載の方法。
【請求項５】
前記干渉された時間周波数リソースは、複数の送信の中からの送信に関連し、ここにおいて、前記複数の送信が、コードブロックに関連し、
前記リソース固有軽減アクションを適用することは、前記復号動作中に前記送信の復号をスキップすることを備える
請求項１に記載の方法。
【請求項６】
前記干渉された時間周波数リソースは、複数の送信の中からの送信に関連し、ここにおいて、前記複数の送信が、コードブロックに関連し、
前記リソース固有軽減アクションを適用することは、前記復号動作中に前記送信の復号された出力に対応する少なくとも１つの対数尤度比（ＬＬＲ）インスタンスをスキップしまたはヌルにすることを備える
請求項１に記載の方法。
【請求項７】
前記復号動作中に前記複数の送信からのＬＬＲインスタンスの複数のセットをソフトコンバイニングすること
をさらに備える、請求項６に記載の方法。
【請求項８】
前記干渉された時間周波数リソースに基づいて、前記少なくとも１つのスキップされまたはヌルにされるＬＬＲインスタンスを決定すること
をさらに備える、請求項６に記載の方法。
【請求項９】
前記第１のトランシーバは、第１の無線アクセス技術に関連し、ここにおいて、前記共存干渉が、前記複数のトランシーバのうちの第２の無線アクセス技術に関連する第２のトランシーバから生じる、請求項１に記載の方法。
【請求項１０】
前記干渉された時間周波数リソースを識別することは、
前記第２のトランシーバから、アクティブな送信または受信に関連する情報を受け取ることと、
前記受け取られた情報に少なくとも部分的に基づいて、前記干渉された時間周波数リソースのリソース競合を決定することと
を備える、請求項９に記載の方法。
【請求項１１】
前記干渉された時間周波数リソースを識別することは、
前記受信された信号に関連する第１のセル固有基準（ＣＲＳ）信号の第１の電力レベルと前記受信された信号に関連する第２のＣＲＳ信号の第２の電力レベルとを入手することと、
前記第１の電力レベルと前記第２の電力レベルとを比較することと、
前記第１の電力レベルと前記第２の電力レベルとの前記比較に基づいて前記干渉された時間周波数リソースを決定することと
を備える、請求項１に記載の方法。
【請求項１２】
複数のトランシーバを備えるワイヤレスデバイスの第１のトランシーバを介して信号を受信するための手段と、
干渉された時間周波数リソースを識別するための手段と、前記干渉された時間周波数リソースが、共存干渉を受ける前記受信された信号の時間周波数リソースである、
前記干渉された時間周波数リソースに少なくとも部分的に基づいて、前記受信された信号の復号動作中に前記受信された信号に関するリソース固有軽減アクションを適用するための手段と
を備える、ワイヤレス通信のための装置。
【請求項１３】
前記リソース固有軽減アクションを適用するための手段は、
前記受信された信号のシンボル期間、スロット、サブフレーム、コードブロック、または副搬送波の少なくとも一部に関して前記受信された信号のサンプルをヌルにするための手段と、
前記ヌルにされたサンプルを前記復号動作に入力するための手段と
を備える、請求項１２に記載の装置。
【請求項１４】
前記リソース固有軽減アクションを適用するための手段は、
前記受信された信号のシンボル期間、スロット、サブフレーム、コードブロック、または副搬送波の少なくとも一部に関して前記受信された信号のサンプルの前記復号動作をスキップするための手段
を備える、請求項１２に記載の装置。
【請求項１５】
前記干渉された時間周波数リソースは、複数の送信の中からの送信に関連し、ここにおいて、前記複数の送信が、コードブロックに関連し、
前記リソース固有軽減アクションを適用するための手段は、前記復号動作中に前記送信の復号をスキップするための手段を備える
請求項１２に記載の装置。
【請求項１６】
前記干渉された時間周波数リソースは、複数の送信の中からの送信に関連し、ここにおいて、前記複数の送信が、コードブロックに関連し、
前記リソース固有軽減アクションを適用するための手段は、前記復号動作中に前記送信の復号された出力に対応する少なくとも１つの対数尤度比（ＬＬＲ）インスタンスをスキップしまたはヌルにするための手段を備える
請求項１２に記載の装置。
【請求項１７】
前記第１のトランシーバは、第１の無線アクセス技術に関連し、
前記共存干渉は、前記複数のトランシーバのうちの第２の無線アクセス技術に関連する第２のトランシーバから生じ、
前記干渉された時間周波数リソースを識別するための手段は、
前記第２のトランシーバから、アクティブな送信または受信に関連する情報を受け取るための手段と、
前記受け取られた情報に少なくとも部分的に基づいて、前記干渉された時間周波数リソースのリソース競合を決定するための手段と
を備える、請求項１２に記載の装置。
【請求項１８】
前記干渉された時間周波数リソースを識別するための手段は、
前記受信された信号に関連する第１のセル固有基準（ＣＲＳ）信号の第１の電力レベルと前記受信された信号に関連する第２のＣＲＳ信号の第２の電力レベルとを入手するための手段と、
前記第１の電力レベルと前記第２の電力レベルとを比較するための手段と、
前記第１の電力レベルと前記第２の電力レベルとの前記比較に基づいて前記干渉された時間周波数リソースを決定するための手段と
を備える、請求項１２に記載の装置。
【請求項１９】
メモリと、
前記メモリに結合された少なくとも１つのプロセッサとを備え、前記プロセッサは、
複数のトランシーバを備えるワイヤレスデバイスの第１のトランシーバを介して信号を受信することと、
干渉された時間周波数リソースを識別することと、前記干渉された時間周波数リソースが、共存干渉を受ける前記受信された信号の時間周波数リソースである、
前記干渉された時間周波数リソースに少なくとも部分的に基づいて、前記受信された信号の復号動作中に前記受信された信号に関するリソース固有軽減アクションを適用することと
を行うように構成される、ワイヤレス通信デバイス。
【請求項２０】
前記プロセッサは、
前記受信された信号のシンボル期間、スロット、サブフレーム、コードブロック、または副搬送波の少なくとも一部に関して前記受信された信号のサンプルをヌルにし、
前記ヌルにされたサンプルを前記復号動作に入力する
ようにさらに構成される、請求項１９に記載のワイヤレス通信デバイス。
【請求項２１】
前記プロセッサは、
前記受信された信号のシンボル期間、スロット、サブフレーム、コードブロック、または副搬送波の少なくとも一部に関して前記受信された信号のサンプルの前記復号動作をスキップする
ようにさらに構成される、請求項１９に記載のワイヤレス通信デバイス。
【請求項２２】
前記干渉された時間周波数リソースは、複数の送信の中からの送信に関連し、ここにおいて、前記複数の送信が、コードブロックに関連し、ここにおいて、前記プロセッサが、前記復号動作中に前記送信の復号をスキップするようにさらに構成される、請求項１９に記載のワイヤレス通信デバイス。
【請求項２３】
前記干渉された時間周波数リソースは、複数の送信の中からの送信に関連し、ここにおいて、前記複数の送信が、コードブロックに関連し、
前記プロセッサは、前記復号動作中に前記送信の復号された出力に対応する少なくとも１つの対数尤度比（ＬＬＲ）インスタンスをスキップしまたはヌルにするようにさらに構成される
請求項１９に記載のワイヤレス通信デバイス。
【請求項２４】
前記第１のトランシーバは、第１の無線アクセス技術に関連し、
前記共存干渉は、前記複数のトランシーバのうちの第２の無線アクセス技術に関連する第２のトランシーバから生じ、
前記プロセッサは、
前記第２のトランシーバから、アクティブな送信または受信に関連する情報を受け取り、
前記受け取られた情報に少なくとも部分的に基づいて、前記干渉された時間周波数リソースのリソース競合を決定する
ようにさらに構成される、請求項１９に記載のワイヤレス通信デバイス。
【請求項２５】
前記プロセッサは、
前記受信された信号に関連する第１のセル固有基準（ＣＲＳ）信号の第１の電力レベルと前記受信された信号に関連する第２のＣＲＳ信号の第２の電力レベルとを入手し、
前記第１の電力レベルと前記第２の電力レベルとを比較し、
前記第１の電力レベルと前記第２の電力レベルとの前記比較に基づいて前記干渉された時間周波数リソースを決定する
ようにさらに構成される、請求項１９に記載のワイヤレス通信デバイス。
【請求項２６】
ワイヤレス通信デバイス上で動作可能であり、非一時的コンピュータ可読媒体上に記憶され、命令を備える、コンピュータプログラム製品であって、前記命令は、
複数のトランシーバを備えるワイヤレスデバイスの第１のトランシーバを介して信号を受信することと、
干渉された時間周波数リソースを識別することと、前記干渉された時間周波数リソースが、共存干渉を受ける前記受信された信号の時間周波数リソースである、
前記干渉された時間周波数リソースに少なくとも部分的に基づいて、前記受信された信号の復号動作中に前記受信された信号に関するリソース固有軽減アクションを適用することと
を行うためにプロセッサによって実行可能である、コンピュータプログラム製品。
【請求項２７】
前記命令は、
前記受信された信号のシンボル期間、スロット、サブフレーム、コードブロック、または副搬送波の少なくとも一部に関して前記受信された信号のサンプルをヌルにし、
前記ヌルにされたサンプルを前記復号動作に入力する
ために前記プロセッサによって実行可能である、請求項２６に記載のコンピュータプログラム製品。
【請求項２８】
前記命令は、
前記受信された信号のシンボル期間、スロット、サブフレーム、コードブロック、または副搬送波の少なくとも一部に関して前記受信された信号のサンプルの前記復号動作をスキップする
ために前記プロセッサによって実行可能である、請求項２６に記載のコンピュータプログラム製品。
【請求項２９】
前記干渉された時間周波数リソースは、複数の送信の中からの送信に関連し、ここにおいて、前記複数の送信が、コードブロックに関連し、ここにおいて、前記命令が、
前記復号動作中に前記送信の復号をスキップする
ために前記プロセッサによって実行可能である、請求項２６に記載のコンピュータプログラム製品。
【請求項３０】
前記干渉された時間周波数リソースは、複数の送信の中からの送信に関連し、ここにおいて、前記複数の送信が、コードブロックに関連し、ここにおいて、前記命令が、
前記復号動作中に前記送信の復号された出力に対応する少なくとも１つの対数尤度比（ＬＬＲ）インスタンスをスキップしまたはヌルにする
ために前記プロセッサによって実行可能である、請求項２６に記載のコンピュータプログラム製品。
【発明の詳細な説明】
【技術分野】
【０００１】
相互参照
[0001]本特許出願は、本願の譲受人に譲渡された、２０１４年６月３０日に出願した、Ｐａｒｋ他による米国特許仮出願第１４／３１９５０９号、名称「Ｒｅｓｏｕｒｃｅ  Ｓｐｅｃｉｆｉｃ  Ｉｎｔｅｒｆｅｒｅｎｃｅ  Ｍｉｔｉｇａｔｉｏｎ」の優先権を主張するものである。
【背景技術】
【０００２】
[0002]以下は、一般にはワイヤレス通信に関し、より詳細には、複数の無線アクセス技術を実施する移動局またはユーザ機器（ＵＥ）に関する。ワイヤレス通信システムは、音声、ビデオ、パケットデータ、メッセージング、ブロードキャスト、その他など、様々なタイプの通信内容を提供するために広く展開されている。これらのシステムは、使用可能なシステムリソース（たとえば、時間、周波数、および電力）を共有することによって複数のユーザとの通信をサポートすることができる多元接続システムとされ得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００３】
[0003]一般に、ワイヤレス多元接続通信システムは、それぞれが複数のモバイルデバイスに関する通信を同時にサポートする、複数の基地局を含むことができる。基地局は、ダウンストリームリンクおよびアップストリームリンク上でモバイルデバイスと通信することができる。各基地局は、セルのカバレージエリアと呼ばれる場合があるカバレージ範囲を有する。
【０００４】
[0004]現在のＵＥは、たとえばＬｏｎｇ  Ｔｅｒｍ  Ｅｖｏｌｕｔｉｏｎ（ＬＴＥ（登録商標））、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））、高帯域符号分割多元接続（ＷＣＤＭＡ（登録商標））、Ｂｌｕｅｔｏｏｔｈ（登録商標）、Ｗｉ−Ｆｉ（登録商標）などのワイヤレスローカルエリアネットワーク（ＷＬＡＮ）技術など、複数の無線アクセス技術を実施することができる。たとえば、いくつかのデバイスは、複数の無線周波数（ＲＦ）トランシーバを使用することによって、複数のセルラネットワーク上での同時動作をサポートすることができる。複数のトランシーバがモバイルデバイス内で同時に使用される時に、そのデバイスは、複数のＲＦチェーンの近接によって引き起こされる干渉（たとえば、デバイス内共存干渉）から損害を受ける可能性がある。一般に、デバイス内共存干渉は、様々なＲＦ非線形性、高調波、相互変調ひずみ（ＩＭＤ）、電力増幅器（ＰＡ）熱雑音もしくは受信機帯域雑音（ＲｘＢＮ：Receiver band noise）、局所発振器（ＬＯ）位相雑音、および／または２つのトランシーバの間の干渉結合によって引き起こされ得る。この干渉は、受信機性能を劣化させ、所望の信号の受信または復号の失敗を引き起こす可能性がある。
【０００５】
[0005]ＯＦＤＭＡシステムに関して、このタイプの干渉は、周波数領域の受信された信号（たとえば、副搬送波、サブバンドなど）、時間領域の受信された信号（たとえば、シンボル、スロット、サブフレームなど）、またはその両方に影響する可能性がある。さらに、受信された信号に対する強い干渉は、順方向誤り訂正コーディングおよび再送信が組み合わされるハイブリッド自動再送要求（ＨＡＲＱ）などの累積復号技法またはソフトコンバイニング復号技法に影響する可能性がある。この干渉は、ＨＡＲＱにおいて、ソフトコンバイニングプロセス内の不正確な対数尤度比（ＬＬＲ）インスタンスまたは値として認識され得る。いくつかの送信または再送信が、強い干渉信号によって影響される場合には、最終的なコンバイニング手順が、干渉を受けた送信に起因して失敗する可能性がある。
【発明の概要】
【０００６】
[0006]説明される特徴は、一般に、ソフトコンバイニング復号技法を実施するマルチキャリアシステムのデバイス内共存干渉を軽減する１つまたは複数の改善されたシステム、方法、および／または装置に関する。いくつかの態様では、説明される技法は、ＵＥまたはいくつかの場合に基地局もしくはｅＮｏｄｅＢ（ｅＮＢ）などのワイヤレスデバイスのトランシーバで共存干渉を受ける受信された信号の時間周波数リソースを識別することを含む。時間周波数リソースは、たとえば、シンボル、スロット、コードブロック、サブフレーム、副搬送波、および類似物を含むことができる。時間周波数リソースの識別は、共存マネージャまたは類似物によって、共存干渉を引き起こす別のトランシーバから送信情報を入手することを含むことができる。その後、リソース固有軽減が、識別されたリソースに適用され得る。リソース固有軽減の適用は、時間領域、周波数領域、またはその両方で、干渉されたリソースをスキップしまたはヌルにすることを含むことができる。いくつかの場合に、ヌリングは、各干渉されたシンボルの値を、たとえば復号のデフォルト値（たとえば、０）に置換することを含むことができる。いくつかの態様では、リソース固有軽減は、干渉されたリソースに対応する１つまたは複数の対数尤度比（ＬＬＲ）インスタンスをスキップすること、ヌルにすること、その他などによって、復号プロセスのソフトコンバイニング段で実行され得る。一例では、サブフレームまたはコードブロックが、ソフトコンバイニング手順でスキップされ得、対応する送信は、ＨＡＲＱプロセスで否定応答され得る。
【０００７】
[0007]本開示のいくつかの例は、複数のトランシーバを備えるワイヤレスデバイスの第１のトランシーバを介して信号を受信することと、干渉された時間周波数リソースを識別することと、干渉された時間周波数リソースが、共存干渉を受ける受信された信号の時間周波数リソースである、干渉された時間周波数リソースに少なくとも部分的に基づいて、受信された信号の復号動作中に受信された信号に関するリソース固有軽減アクションを適用することとを含む、ワイヤレス通信のための方法を説明する。
【０００８】
[0008]本開示のいくつかの例は、複数のトランシーバを備えるワイヤレスデバイスの第１のトランシーバを介して信号を受信するための手段と、干渉された時間周波数リソースを識別するための手段と、干渉された時間周波数リソースが、共存干渉を受ける受信された信号の時間周波数リソースである、干渉された時間周波数リソースに少なくとも部分的に基づいて、受信された信号の復号動作中に受信された信号に関するリソース固有軽減アクションを適用するための手段とを含む、ワイヤレス通信のための装置を説明する。
【０００９】
[0009]本開示のいくつかの例は、メモリと、メモリに結合された少なくとも１つのプロセッサとを含み、前記プロセッサは、複数のトランシーバを備えるワイヤレスデバイスの第１のトランシーバを介して信号を受信することと、干渉された時間周波数リソースを識別することと、干渉された時間周波数リソースが、共存干渉を受ける受信された信号の時間周波数リソースである、干渉された時間周波数リソースに少なくとも部分的に基づいて、受信された信号の復号動作中に受信された信号に関するリソース固有軽減アクションを適用することとを行うように構成される、ワイヤレス通信デバイスを説明する。
【００１０】
[0010]本開示のいくつかの例は、ワイヤレス通信デバイス上で動作可能であり、非一時的コンピュータ可読媒体上に記憶され、命令を含むコンピュータプログラム製品であって、命令は、複数のトランシーバを備えるワイヤレスデバイスの第１のトランシーバを介して信号を受信することと、干渉された時間周波数リソースを識別することと、干渉された時間周波数リソースが、共存干渉を受ける受信された信号の時間周波数リソースである、干渉された時間周波数リソースに少なくとも部分的に基づいて、受信された信号の復号動作中に受信された信号に関するリソース固有軽減アクションを適用することとを行うためにプロセッサによって実行可能である、コンピュータプログラム製品を説明する。
【００１１】
[0011]上で説明された方法、装置、デバイス、および／またはコンピュータプログラム製品のいくつかの例では、リソース固有軽減アクションを適用することは、受信された信号のシンボル期間、スロット、サブフレーム、コードブロック、または副搬送波の少なくとも一部に関して受信された信号のサンプルをヌルにすることと、ヌルにされたサンプルを復号動作に入力することとを含む。受信された信号の受信されたシンボルをヌルにすることは、受信されたシンボルにデフォルト値をセットすることを含むことができる。
【００１２】
[0012]上で説明された方法、装置、デバイス、および／またはコンピュータプログラム製品のいくつかの例では、リソース固有軽減アクションを適用することは、受信された信号のシンボル期間、スロット、サブフレーム、コードブロック、または副搬送波の少なくとも一部に関して受信された信号のサンプルの復号動作をスキップすることを含む。
【００１３】
[0013]上で説明された方法、装置、デバイス、および／またはコンピュータプログラム製品のいくつかの例では、干渉された時間周波数リソースは、複数の送信の中からの送信に関連し、ここにおいて、複数の送信が、コードブロックに関連する。リソース固有軽減アクションを適用することは、復号動作中に送信の復号をスキップすることを含むことができる。それに加えてまたはその代わりに、リソース固有軽減アクションを適用することは、復号動作中に送信の復号された出力に対応する少なくとも１つの対数尤度比（ＬＬＲ）インスタンスをスキップしまたはヌルにすることを含むことができる。
【００１４】
[0014]上で説明された方法、装置、デバイス、および／またはコンピュータプログラム製品のいくつかの例は、復号動作中に複数の送信からのＬＬＲインスタンスの複数のセットをソフトコンバイニングすることを含むことができる。いくつかの例では、少なくとも１つのスキップされまたはヌルにされるＬＬＲインスタンスを決定することは、干渉された時間周波数リソースに基づくものとされ得る。
【００１５】
[0015]上で説明された方法、装置、デバイス、および／またはコンピュータプログラム製品のいくつかの例では、第１のトランシーバは、第１の無線アクセス技術に関連し、ここにおいて、共存干渉が、複数のトランシーバのうちの第２の無線アクセス技術に関連する第２のトランシーバから生じる。
【００１６】
[0016]上で説明された方法、装置、デバイス、および／またはコンピュータプログラム製品のいくつかの例では、干渉された時間周波数リソースを識別することは、第２のトランシーバから、アクティブな送信または受信に関連する情報を受け取ることと、受け取られた情報に少なくとも部分的に基づいて、干渉された時間周波数リソースのリソース競合を決定することとを含む。
【００１７】
[0017]上で説明された方法、装置、デバイス、および／またはコンピュータプログラム製品のいくつかの例では、干渉された時間周波数リソースを識別することは、受信された信号に関連する第１のセル固有基準（ＣＲＳ）信号の第１の電力レベルと受信された信号に関連する第２のＣＲＳ信号の第２の電力レベルとを入手することと、第１の電力レベルと第２の電力レベルとを比較することと、第１の電力レベルと第２の電力レベルとの比較に基づいて干渉された時間周波数リソースを決定することとを含む。
【００１８】
[0018]説明される方法および装置の適用可能性のさらなる範囲は、以下の詳細な説明、特許請求の範囲、および図面から明白になる。この説明の趣旨および範囲内の様々な変更および修正が当業者に明白になるので、詳細な説明および特定の例は、例示として与えられるものにすぎない。
【００１９】
[0019]本開示の性質および利点のさらなる理解は、以下の図面を参照することによって実現され得る。添付図面では、同様のコンポーネントまたは特徴は、同一の参照符号を有することができる。さらに、同一タイプの様々なコンポーネントは、符号にダッシュと同様のコンポーネントの間で区別する第２のラベルとを続けることによって区別され得る。第１の符号だけが本明細書内で使用される場合には、その説明は、第２の符号に関わりなく同一の第１の符号を有する同様のコンポーネントのいずれにも適用可能である。
【図面の簡単な説明】
【００２０】
【図１】[0020]様々な実施形態によるワイヤレス通信システムを示すブロック図。
【図２】[0021]様々な実施形態による、別のＵＥおよび基地局と同時に通信するＵＥを含む例のワイヤレス通信システムを示すブロック図。
【図３】[0022]様々な実施形態による、２つの異なる無線アクセス技術の間の共存干渉の例を示すブロック図。
【図４】[0023]様々な実施形態による、共存干渉を受けるコンポーネントキャリアを示すブロック図。
【図５】[0024]様々な実施形態による、デバイス内共存マネージャの例を示すブロック図。
【図６Ａ】[0025]様々な実施形態による、デバイス内共存干渉を受ける識別された時間周波数リソースにリソース固有干渉軽減を適用する方法の実施形態を示す流れブロック図。
【図６Ｂ】様々な実施形態による、デバイス内共存干渉を受ける識別された時間周波数リソースにリソース固有干渉軽減を適用する方法の実施形態を示す流れブロック図。
【図７】[0026]様々な実施形態による、デバイス内共存干渉を受ける識別された時間周波数リソースにリソース固有干渉軽減を適用するデバイスを示すブロック図。
【図８】[0027]様々な実施形態による、デバイス内共存干渉を受ける識別された時間周波数リソースにリソース固有干渉軽減を適用する別のデバイスを示すブロック図。
【図９】[0028]様々な実施形態による、デバイス内共存干渉を受ける識別された時間周波数リソースにリソース固有干渉軽減を適用する別のデバイスを示すブロック図。
【図１０】[0029]様々な実施形態による、ＭＩＭＯワイヤレス通信システムの例を示すブロック図。
【図１１】[0030]様々な実施形態による、デバイス内共存干渉を受ける識別された時間周波数リソースにリソース固有干渉軽減を適用する方法を示す流れ図。
【図１２】様々な実施形態による、デバイス内共存干渉を受ける識別された時間周波数リソースにリソース固有干渉軽減を適用する方法を示す流れ図。
【図１３】様々な実施形態による、デバイス内共存干渉を受ける識別された時間周波数リソースにリソース固有干渉軽減を適用する方法を示す流れ図。
【発明を実施するための形態】
【００２１】
[0031]説明される特徴は、一般に、マルチキャリアシステム内で動作するデバイスのデバイス内共存干渉を軽減する１つまたは複数の改善されたシステム、方法、および／または装置に関する。いくつかの態様では、説明される技法は、複数のトランシーバを実施するワイヤレスデバイスで共存干渉を受ける受信された信号の時間周波数リソースを識別することを含む。一例では、ワイヤレスデバイスは、デバイス上で実施される異なるラジオから、たとえば各トランシーバから、送信／受信情報を収集しまたは入手し、デバイス内共存干渉が受信された信号の特定の時間周波数リソースに対して発生する可能性が高いかどうかを決定することができる。送信／受信情報は、送信／受信タイミング情報（たとえば、１つまたは複数のクロックに対する相対的な）、周波数情報、電力情報（たとえば、電力増幅など）、および／または他の同様の情報を含むことができる。デバイスは、既知のまたは検出された干渉機構（たとえば、高調波、ＩＭＤ、熱雑音、ＲｘＢＮなど）に基づいて、複数のトランシーバによって実行される動作の間の時間および／または周波数のオーバーラップまたは競合を検出することができる。
【００２２】
[0032]その後、ワイヤレスデバイスは、識別されたリソースにリソース固有軽減を適用することができる。いくつかの態様では、リソース固有軽減の適用は、時間領域の干渉されたリソース（たとえば、シンボル、スロット、コードブロック、サブフレームなど）、周波数領域の干渉されたリソース（たとえば、副搬送波など）、またはその両方をスキップしまたはヌルにすることを含むことができる。リソース固有干渉が軽減される粒度は、たとえば最も正確な干渉除去を生じる副搬送波レベルおよびシンボルレベルの軽減を伴って、通信性能に影響する可能性がある。いくつかの場合に、ヌリングは、各干渉されたシンボルの値を、たとえば復号のデフォルト値（たとえば、０）に置換することを含むことができる。
【００２３】
[0033]いくつかの態様では、リソース固有軽減の適用は、復号プロセスのソフトコンバイニング段で実行され得る。リソース固有軽減は、干渉された復号出力（たとえば、ＬＬＲ値またはインスタンス）をスキップすること、ヌルにすること、またはこれがソフトコンバイニング手順に含まれるのを抑制することを含むことができる。干渉伝搬を防ぐ（たとえば、ＬＬＲなどの干渉された復号出力がソフトコンバイニングに戻って追加されるのを抑制する）ことによって、伝搬されたデバイス内共存干渉に起因するコンバイニング／復号失敗が、軽減されおよび／または除去され得る。１つの例では、ＬＬＲは、ソフトコンバイニング手順内でスキップされまたは破棄され得、対応する送信は、ＨＡＲＱプロセス内で否定応答され得る。これらの技法の適用は、ブロック誤り率（ＢＬＥＲ）を低下させ、より高い総合データスループットをもたらすことができる。説明される技法は、モバイルデバイスによって、またはいくつかの場合に基地局もしくはアクセスポイントによって実行され得る。
【００２４】
[0034]本明細書で説明される技法は、ＣＤＭＡ、ＴＤＭＡ、ＦＤＭＡ、ＯＦＤＭＡ、ＳＣ−ＦＤＭＡ、ＳＣ−ＴＤＭＡ、および他のシステムなど、様々なワイヤレス通信システムのために使用され得る。用語「システム」および「ネットワーク」は、しばしば交換可能に使用される。ＣＤＭＡシステムは、ＣＤＭＡ２０００、ユニバーサル地上無線アクセス（ＵＴＲＡ）、その他などの無線技術を実施することができる。ＣＤＭＡ２０００は、ＩＳ−２０００標準規格と、ＩＳ−９５標準規格と、ＩＳ−８５６標準規格とをカバーする。ＩＳ−２０００  Ｒｅｌｅａｓｅ  ０およびＩＳ−２０００  Ｒｅｌｅａｓｅ  Ａは、一般にＣＤＭＡ２０００  １Ｘ、１Ｘなどと呼ばれる。ＩＳ−８５６  （ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、高帯域ＣＤＭＡ（ＷＣＤＭＡ）とＣＤＭＡの他の変形とを含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線技術を実施することができる。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ  ８０２．１１（Ｗｉ−Ｆｉ）、ＩＥＥＥ  ８０２．１６（ＷｉＭＡＸ（登録商標））、ＩＥＥＥ  ８０２．２０、Ｆｌａｓｈ−ＯＦＤＭ、その他などの無線技術を実施することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ（登録商標）  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と命名された組織からの文書で説明されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と命名された組織からの文書で説明されている。本明細書で説明される技法は、上で言及されたシステムおよび無線技術ならびに他のシステムおよび無線技術のために使用され得る。しかし、下の説明は、例のためにＬＴＥシステムを説明し、ＬＴＥの用語が、下の説明の多くで使用されるが、本技法は、ＬＴＥ応用例を超えて適用可能である。
【００２５】
[0035]したがって、以下の説明は、例を提供し、請求項に示される範囲、適用可能性、または構成について限定的ではない。本開示の範囲から逸脱することなく、論じられる要素の機能および構成に変更が行われ得る。様々な実施形態は、適宜に、様々な手順またはコンポーネントを省略し、置換し、または追加することができる。たとえば、説明される方法は、説明されるものとは異なる順序で実行され得、様々なステップが、追加され、省略され、または組み合わされ得る。また、ある種の実施形態に関して説明される複数の特徴は、他の実施形態において組み合わされ得る。
【００２６】
[0036]図１に、ワイヤレス通信システム１００の例を示す。ワイヤレス通信システム１００は、基地局（またはセル）１０５と、移動局またはユーザ機器（ＵＥ）１１５と、コアネットワーク１３０とを含む。基地局１０５は、様々な例でコアネットワーク１３０または基地局１０５の一部とされ得る基地局コントローラ（図示せず）の制御の下でＵＥ  １１５と通信することができる。基地局１０５は、バックホールリンク１３２を介してコアネットワーク１３０と制御情報および／またはユーザデータを通信することができる。例において、基地局１０５は、有線通信リンクまたはワイヤレス通信リンクとされ得るバックホールリンク１３４を介して、直接にまたは間接にのいずれかでお互いと通信することができる。ワイヤレス通信システム１００は、複数の搬送波（異なる周波数の波形信号）上での動作をサポートすることができる。マルチキャリア送信機は、複数の搬送波上で変調された信号を同時に送信することができる。たとえば、基地局１０５とＵＥ  １１５との間の各通信リンク１２５および２つのＵＥ  １１５の間の通信リンク１２６は、上で説明された様々な無線技術に従って変調されたマルチキャリア信号とされ得る。各変調された信号は、異なる搬送波上で送られ得、制御情報（たとえば、基準信号、制御チャネルなど）、オーバーヘッド情報、データなどを搬送することができる。各変調された信号は、異なる搬送波上で送られ得、制御情報（たとえば、パイロット信号、制御チャネルなど）、オーバーヘッド情報、データなどを搬送することができる。システム１００は、ネットワークリソースを効率的に割り振ることができるマルチキャリアＬＴＥネットワークとされ得る。
【００２７】
[0037]基地局１０５は、１つまたは複数の基地局アンテナを介してＵＥ  １１５とワイヤレスに通信することができる。基地局１０５サイトのそれぞれは、それぞれの地理的カバレージエリア１１０の通信カバレージを提供することができる。いくつかの例では、基地局１０５は、ベーストランシーバ基地局、無線基地局、アクセスポイント、無線トランシーバ、基本サービスセット（ＢＳＳ）、拡張サービスセット（ＥＳＳ）、ＮｏｄｅＢ、ｅＮｏｄｅＢ（ｅＮＢ）、Ｈｏｍｅ  ＮｏｄｅＢ、Ｈｏｍｅ  ｅＮｏｄｅＢ、または何らかの他の適切な用語で呼ばれる場合がある。基地局１０５のための地理的カバレージエリア１１０は、カバレージエリアの一部分のみを構成するセクタに分割され得る（図示せず）。システム１００は、異なるタイプの基地局１０５（たとえば、マクロ基地局、マイクロ基地局、および／またはピコ基地局）を含むことができる。異なる技術に関してオーバーラップするカバレージエリアがある場合がある。
【００２８】
[0038]ある種の例では、ワイヤレス通信システム１００は、ＬＴＥ／ＬＴＥ−Ａネットワークを含むことができる。ＬＴＥ／ＬＴＥ−Ａネットワークは、異なるタイプのｅＮＢが様々な地理的領域にカバレージを提供する異種ＬＴＥ／ＬＴＥ−Ａネットワークとすることができる。たとえば、各基地局１０５は、マクロセル、ピコセル、フェムトセル、および／または他のタイプのセルに通信カバレージを提供することができる。マクロセルは、一般に、相対的に大きい地理的エリア（たとえば、半径数キロメートル）をカバーし、ネットワークプロバイダとのサービスサブスクリプションを有するＵＥによる制限されないアクセスを可能にすることができる。ピコセルは、一般に、相対的により小さい地理的エリアをカバーし、ネットワークプロバイダとのサービスサブスクリプションを有するＵＥによる制限されないアクセスを可能にすることができる。フェムトセルは、やはり一般に相対的に小さい地理的エリア（たとえば、家）をカバーし、制限されないアクセスに加えて、フェムトセルとの関連付けを有するＵＥ（たとえば、限定加入者グループ（ＣＳＧ）内のＵＥ  １１５、家に居るユーザのＵＥ  １１５、および類似物）による制限されたアクセスをも提供することができる。マクロセルのｅＮＢは、マクロｅＮＢと呼ばれる場合がある。ピコセルのｅＮＢは、ピコｅＮＢと呼ばれる場合がある。フェムトセルのｅＮＢは、フェムトｅＮＢまたはホームｅＮＢと呼ばれる場合がある。ｅＮＢは、１つまたは複数の（たとえば２つ、３つ、４つ、および類似物）セルをサポートすることができる。
【００２９】
[0039]コアネットワーク１３０は、バックホールリンク１３２（たとえば、Ｓ１など）を介して基地局１０５と通信することができる。基地局１０５は、たとえば、バックホールリンク１３４（たとえば、Ｘ２など）および／またはバックホールリンク１３２（たとえば、コアネットワーク１３０を介して）を介して、直接にまたは間接に、お互いと通信することもできる。ワイヤレス通信システム１００は、同期動作または非同期動作をサポートすることができる。同期動作に関して、基地局は、同様のフレームタイミングを有することができ、異なる基地局からの送信は、経時的にほぼ整列され得る。非同期動作に関して、基地局は、異なるフレームタイミングを有することができ、異なる基地局からの送信は、経時的に整列されない場合がある。本明細書で説明される技法は、同期動作または非同期動作のいずれにも使用され得る。
【００３０】
[0040]ＵＥ  １１５は、ワイヤレス通信システム１００全体に分散され得、各ＵＥ  １１５は、静止またはモバイルとされ得る。ＵＥ  １１５は、移動局、加入者ステーション、モバイルユニット、加入者ユニット、ワイヤレスユニット、リモートユニット、モバイルデバイス、ワイヤレスデバイス、ワイヤレス通信デバイス、リモートデバイス、モバイル加入者ステーション、アクセス端末、モバイル端末、ワイヤレス端末、リモート端末、送受話器、ユーザエージェント、モバイルクライアント、クライアント、または何らかの他の適切な用語で当業者によって呼ばれる場合もある。ＵＥ  １１５は、セルラ電話機、携帯情報端末（ＰＤＡ）、ワイヤレスモデム、ワイヤレス通信デバイス、ハンドヘルドデバイス、タブレットコンピュータ、ラップトップコンピュータ、コードレス電話機、ワイヤレスローカルループ（ＷＬＬ）ステーション、または類似物とされ得る。ＵＥ  １１５は、マクロ基地局、フェムト基地局、リレー、および類似物と通信できる場合がある。
【００３１】
[0041]ワイヤレス通信システム１００内に示された通信リンク１２５は、ＵＥ  １１５から基地局１０５へのアップリンク送信および／または基地局１０５からＵＥ  １１５へのダウンリンク送信を含むことができる。ダウンリンク送信は、順方向リンク送信と呼ばれる場合もあり、アップリンク送信は、逆方向リンク送信と呼ばれる場合もある。
【００３２】
[0042]いくつかのシナリオでは、ＵＥ  １１５は、２つ以上の異なる無線アクセス技術を介して２つ以上のワイヤレスデバイス、たとえば、２つの基地局１０５、２つのＵＥ  １１５、または基地局１０５および別のＵＥ  １１５と同時に通信することができる。たとえば、ＵＥ  １１５は、ＬＴＥ／ＬＴＥ−Ａと、ＧＳＭ、Ｂｌｕｅｔｏｏｔｈ、Ｗｉ−ＦｉなどのＷＬＡＮ技術、その他などの別の無線アクセス技術とを介して同時に通信することができる。異なる無線アクセス技術は、一般に、異なる周波数範囲または周波数帯（たとえば、免許交付されたスペクトル帯域または免許不要のスペクトル帯域）を割り振られ得る。しかし、異なる周波数範囲が異なる無線アクセス技術のために使用される時であっても、２つの無線アクセス技術の間の共存干渉は、性能に対する重大な影響を有する可能性がある。いくつかの場合に、この干渉は、信頼できないデータ接続、捨てられた呼、低速のダウンロードなどを介してユーザ経験に悪影響を及ぼす可能性がある。いくつかの場合に、基地局１０５は、複数の無線アクセス技術または複数の周波数帯を使用する時にも同様の共存干渉を経験し、サービスされるＵＥ  １１５との無線のリンクに関する低下した性能をもたらす場合がある。
【００３３】
[0043]共存干渉を低減し、および／または除去するために、ＵＥ  １１５およびいくつかの場合に基地局１０５は、共存干渉を軽減するために、説明される技法を実施することができる。ＵＥ  １１５または基地局１０５は、たとえば、受信された信号の情報を比較することによって、および／またはＵＥ  １１５自体で実施される共存マネージャから通信された情報を介して、共存干渉を受ける受信された信号の時間周波数リソースを識別することができる。ＵＥ  １１５は、干渉されたリソースをヌルにしまたはスキップすることによるなど、復号動作中に受信された信号にリソース固有軽減アクションを適用することができる。この形で、ＵＥ  １１５の通信性能は、２つ以上の無線アクセス技術を介する同時通信をより良くサポートするために改善される。
【００３４】
[0044]図２に、通信リンク１２５−ａを介して第１の基地局１０５−ａとおよび通信リンク１２５−ｂを介して第２の基地局１０５−ｂと通信するＵＥ  １１５−ａを含むワイヤレス通信システム２００の例を示す。ＵＥ  １１５−ａおよび基地局１０５−ａ、１０５−ｂは、図１を参照して説明されたＵＥ  １１５および基地局１０５の例とされ得る。ＵＥ  １１５−ａは、それぞれがＬＴＥ／ＬＴＥ−Ａ、ＧＳＭ、ＷＣＤＭＡ、Ｂｌｕｅｔｏｏｔｈ、Ｗｉ−Ｆｉ、および類似物などの１つまたは複数の無線アクセス技術を使用して通信するように構成された第１のトランシーバ２０５と第２のトランシーバ２１０とを含むことができる。他の実施形態では、ＵＥ  １１５−ａは、別のＵＥ  １１５および基地局１０５と通信することができる。下で説明される干渉軽減技法が、両方のシナリオに同等に適用され得ることを了解されたい。いくつかの場合に、ＵＥ  １１５−ａは、２つ以上のトランシーバを含むことができ、各トランシーバは、これらの無線アクセス技術のうちの１つまたは複数を使用して通信するように構成される。
【００３５】
[0045]いくつかの例では、ＵＥ  １１５−ａは、マルチ加入者識別モジュール（ＳＩＭ）マルチアクティブデバイスとされ得、複数のＳＩＭカードと別々のラジオ周波数（ＲＦ）トランシーバ２０５、２１０とを使用することによって別々のセルラネットワークをサポートすることができる。
【００３６】
[0046]図２に示されているように、ＵＥ  １１５−ａは、トランシーバ２０５を介してリンク１２５−ａ上で基地局１０５−ａと、およびトランシーバ２１０を介してリンク１２５−ｂ上で基地局１０５−ｂと同時に通信することができる。一例では、リンク１２５−ａおよび１２５−ｂ上の通信は、異なる無線アクセス技術を利用することができる。たとえば、ＵＥ  １１５−ａは、ＧＳＭを使用してリンク１２５−ｂ上で基地局１０５−ｂと同時に通信しながら、ＬＴＥ／ＬＴＥ−Ａを使用してリンク１２５−ａ上で基地局１０５−ａと通信することができる。無線アクセス技術の様々な他の組合せが、リンク１２５−ａ、１２５−ｂ上でトランシーバ２０５、２１０によって実施されまたはサポートされ得る。いくつかの場合に、ＵＥ  １１５−ａは、トランシーバ２１０が基地局１０５−ｂに送信しつつあるのと同時に、トランシーバ２０５でリンク１２５−ａ上で基地局１０５−ａからの送信を受信することができる。このシナリオでは、ＵＥ  １１５−ａは、トランシーバ２１０からの送信によって引き起こされる、トランシーバ２０５での受信された信号に対するデバイス内共存干渉を経験する可能性がある。受信された信号のデバイス内共存干渉が、より一般的には同時送信からの干渉によって引き起こされるが、潜在的に、別の送信を同時に受信するのに用いられる様々なコンポーネントからの干渉効果（たとえばＲｘＢＮ、ＩＭＤなど）によって引き起こされ得ることを理解されたい。
【００３７】
[0047]ＵＥ  １１５−ａは、受信された信号に対する干渉の影響を制限するために、本明細書で説明される干渉軽減技法を使用することができる。具体的には、ＵＥ  １１５−ａは、共存干渉を受ける受信された信号のリソース（たとえば、シンボル、スロット、コードブロック、サブフレーム、副搬送波など）を識別することができる。干渉されたリソースの識別は、他のトランシーバ２１０から送信情報または受信情報を入手する（たとえば、下でより詳細に説明される共存マネージャを介して）ことを含むことができる。それに加えてまたはその代わりに、ＵＥ  １１５−ａは、受信された送信内の、セル固有基準シンボル（ＣＲＳ：cell specific reference symbol）などの参照シンボルの受信された信号強度を比較することによって、干渉されたリソースを識別することができる。ＵＥ  １１５−ａは、その後、識別された干渉されたリソースにリソース固有軽減アクションを適用することができる。軽減アクションは、復号プロセス中またはその前に時間リソースおよび／または周波数リソースをスキップしまたはヌルにすること、たとえば、シンボル、スロット、コードブロック、サブフレーム、副搬送波をスキップしまたはヌルにすることを含むことができる。
【００３８】
[0048]共存干渉を軽減することによって、ＵＥ  １１５−ａは、基地局１０５−ａから受信されたメッセージの受信性能を改善することができる。いくつかの場合に、ＵＥ  １１５−ａは、まず第１にメッセージの再送信の必要を除去するために、復号プロセスの正確さを改善することができる。
【００３９】
[0049]別の例では、リソース固有軽減アクションは、自動再送要求（ＡＲＱ）またはハイブリッド自動再送要求（ＨＡＲＱ）のソフトコンバイニングプロセスの一部として、干渉された時間周波数リソースに対応するＬＬＲインスタンスをスキップしまたはヌルにすることを含むことができる。標準ＡＲＱでは、冗長ビットが、巡回冗長検査（ＣＲＣ）などの誤り検出（ＥＤ）コードを使用して、送信されるデータに追加される。メッセージが、誤りを伴って受信される時に、オリジナル送信メッセージの再送信の要求が、たとえば否定応答（ＮＡＣＫ）メッセージを介して送られ得る。ＨＡＲＱ方式では、オリジナルデータは、順方向誤り訂正（ＦＥＣ）コードを用いて符号化され、誤り検出に使用されるパリティビットは、メッセージと一緒に即座に送られるか、受信機が誤りのあるメッセージを検出する時に要求に応じて送信されるのみかのいずれかになる。ＦＥＣコードは、発生する可能性があるすべての誤りの期待される部分集合を訂正するように選択され、ＡＲＱ技法は、最初の送信内で送られる冗長性だけを使用しては訂正不能な誤りを訂正するのに使用される。一部のＨＡＲＱ方式は、受信された送信が復号された後に、復号された送信（たとえば、コードブロックなど）の各ビットを解釈する確率を示す対数尤度比（ＬＬＲ）が、復号された送信に関連付けられ得るように、ソフトコンバイニングを含むことができる。ソフトコンバイニングプロセスは、完全で誤りのないオリジナル送信を入手するために、同一のデータの複数の送信／再送信のＬＬＲまたは冗長性情報を提供する他のデータの合計をとることを含むことができる。いくつかの場合に、データビットとパリティビットとの両方を含む同一の情報が、ＮＡＣＫが送られた後に再送信され得る（たとえば、チェースコンバイニング）。他の場合には、情報の一部（たとえば、冗長ビット）だけが、送られ得る（たとえば、増分冗長性）。いくつかの例では、再送信は、ソフトコンバイニング手順が再送信される異なる情報をどのように考慮しなければならないのかを識別するために、冗長性バージョンに関連付けられ得る。
【００４０】
[0050]したがって、干渉によって影響された送信は、再送信およびソフトコンバイニング手順全体を損なう可能性がある。送信／再送信が強い干渉レベルによって影響される場合に、最後のコンバイニング手順は、十分な干渉のないデータおよび／または冗長性情報が受信される場合であっても、干渉された送信に起因して失敗する可能性がある。干渉されたリソースに対応するＬＬＲインスタンスをスキップしまたはヌルにすることによって、ソフトコンバイニング手順の効率および正確さが、改善され得、ブロック誤り率（ＢＬＥＲ）が、低下され得、結果としてシステムのスループットが高められ得る。
【００４１】
[0051]いくつかの実施態様では、たとえば、ＨＡＲＱ手順がトランスポートブロックより小さいリソースパーティション（たとえば、コードブロック）のＡＣＫ／ＮＡＣＫ動作をサポートする時に、ＵＥ  １１５−ａは、メッセージ全体を誤りなしで受信するのに必要な再送信の回数を減少させることができる。これは、実際に干渉された時間周波数リソースだけを含むように再送信の要求を制限することによって、たとえば、より高いレベルの粒度または正確さでどのリソースが干渉を有するのかを識別することによって、達成され得る。これは、干渉されたリソースの識別されたセットに含まれる干渉されたリソースにごく近接したより少数のリソースをもたらすことができる。
【００４２】
[0052]図３に、９０ＫＨｚから１２．７ＧＨｚまでにまたがる周波数スペクトルに対する、ＵＥ  １１５またはいくつかの場合に基地局１０５などの同一のデバイス上で実施される２つの異なる無線アクセス技術の間の干渉の例を示す図３００を示す。具体的には、図３００は、帯域Ａ  ３１５内の送信イベントＴＸ−１  ３０５と受信イベントＲＸ−１  ３２０とならびに帯域Ｂ  ３４０内の送信イベントＴＸ−２  ３３０と受信イベントＲＸ−２  ３４５とを示す。いくつかの実施形態では、帯域Ａ  ３１５は、ＧＳＭ帯域を表すことができ、帯域Ｂ  ３４０は、ＬＴＥ／ＬＴＥ−Ａ帯域を表すことができるが、他の無線アクセス技術／帯域構成が本明細書で企図されていることを了解されたい。いくつかの実施形態では、ＴＸ−１  ３０５およびＲＸ−１  ３２０は、図２のＵＥ  １１５−ａのトランシーバ２１０による、たとえば通信リンク１２５−ｂを介する基地局１０５−ｂとの通信を表すことができる。同様に、ＴＸ−２  ３３０およびＲＸ−２  ３４５は、やはり図２のＵＥ  １１５のトランシーバ２０５による、たとえば通信リンク１２５−ａを介する基地局１０５−ａとの通信を表すことができる。ＴＸ−１  ３０５およびＲＸ−１  ３２０は、ＧＳＭに従って帯域Ａ  ３１５のＴＸサブバンド３１０およびＲＸサブバンド３２５内にあるものとされ得る。同様に、ＴＸ−２  ３３０およびＲＸ−２  ３４５は、ＬＴＥ／ＬＴＥ−Ａに従って帯域Ｂ  ３４０のＴＸサブバンド３３５およびＲＸサブバンド３５０内にあるものとされ得る。
【００４３】
[0053]一例では、ＴＸ−１  ３０５のパワーバンドは、ＴＸサブバンド３１０内の最大振幅であるが、周波数スペクトルの他の部分内のデバイスの他のコンポーネントのスプリアス効果をもたらす可能性がある。ＴＸ−１  ３０５は、結果として、帯域Ｂ  ３４０上で通信するトランシーバ２０５に対する共存干渉、たとえばインスタンス３６０を引き起こす可能性がある。干渉インスタンス３５５および３６０は、ＲＦ非線形性、高調波、相互変調ひずみ（ＩＭＤ）、電力増幅器（ＰＡ）熱雑音もしくは受信機帯域雑音（ＲｘＢＮ）、局所発振器（ＬＯ）位相雑音、および／または２つのトランシーバの間の干渉結合によって引き起こされ得る。この干渉は、干渉インスタンス３６０などにおいて、ＵＥ  １１５の別のトランシーバ、たとえばＲＸ−２  ３４５を受信するＬＴＥ受信機の受信性能を劣化させる可能性がある。この干渉は、それに加えてまたはその代わりに、インスタンス３５５などにおいて、ＵＥ  １１５上で実施される別の無線アクセス技術による放出失敗を引き起こす可能性がある。デバイス内共存干渉は、ＵＥ  １１５による信号の、ＲＦ回路関連およびアナログ回路関連の処理と推定とトラッキングと測定と復調と復号とをも深刻に劣化させる可能性がある。
【００４４】
[0054]具体的には、干渉インスタンス３６０は、ＲＸ−２  ３４５の信号対雑音比（ＳＮＲ）、搬送波対雑音比（ＣＮＲ）、または他の同様のメトリックを劣化させる可能性がある。たとえば、干渉インスタンス３６０は、ＣＮＲの劣化３６５を引き起こす可能性がある。ＲＸ−２  ３４５のＣＮＲのこの劣化３６５は、受信失敗を引き起こし、ＵＥ  １１５が誤りなしの信号を受信するためにＨＡＲＱプロセスを使用して信号の再送信を要求する可能性が生じる。結果として、ＵＥ  １１５のＬＴＥ／ＬＴＥ−Ａ通信リンクのスループットおよび総合性能が低下する可能性がある。本明細書で説明される共存干渉軽減技法は、下で詳細に説明されるように、たとえば復号およびＨＡＲＱプロセスをより効率的にすることによって、ＵＥ  １１５のＬＴＥ／ＬＴＥ−Ａトランシーバに対する悪影響を減ずることができる。
【００４５】
[0055]一般に、ＬＴＥ／ＬＴＥ−Ａは、ダウンリンク上では直交周波数分割多元接続（ＯＦＤＭＡ）を、アップリンク上では単一周波数周波数分割多元接続（ＳＣ−ＦＤＭＡ）を利用する。図４に、様々な実施形態による、共存干渉４５０を経験する時間周波数リソースのサブセットを有する、ＯＦＤＭＡダウンリンクコンポーネントキャリア４００の時間周波数リソースの図を示す。コンポーネントキャリア４００は、以前の図面を参照して説明されたＵＥ  １１５のいずれか、たとえば図２のＵＥ  １１５−ａのトランシーバ２０５によって受信され得る。コンポーネントキャリア４００の搬送波帯域幅は、一般にトーン、ビン、または類似物とも呼ばれる、複数（Ｎ個）の直交する副搬送波４０５に区分され得る。隣接する副搬送波４０５の間の間隔は、固定され得、副搬送波４０５の総数（Ｎ）は、システム帯域幅に依存するものとされ得る。各副搬送波４０５は、データで変調され得る。１つのシンボル期間４１０にわたる１つの副搬送波は、リソース要素４１５またはより一般に時間周波数リソースと呼ばれる場合がある。システム帯域幅は、複数（たとえば、６個、１２個など）の副搬送波を含むことができる、物理リソースブロック（ＰＲＢ）にさらに分割され得る。コンポーネントキャリア４００の図示された部分は、搬送波帯域幅の副搬送波１２Ｋから１２Ｋ＋１１までを含むことができる、第Ｋの物理リソースブロック（ＰＲＢ）を含む。コンポーネントキャリア４００は、任意の個数（Ｎ）の副搬送波を有することができる。たとえば、Ｎは、１．４、３、５、１０、１５、または２０メガヘルツ（ＭＨｚ）の対応するシステム帯域幅（ガードバンドを伴う）について、１５キロヘルツ（ＫＨｚ）の副搬送波間隔を伴ってそれぞれ７２、１８０、３００、６００、９００、または１２００と等しいものとされ得る。システム帯域幅は、サブバンドにもパーティショニングされ得る。たとえば、１つのサブバンドは、１．０８ＭＨｚをカバーすることができ、１つ、２つ、４つ、８つ、または１６個のサブバンドがあるものとすることができる。本明細書で説明される技法が、ＯＦＤＭ／ＯＦＤＭＡの他の実施態様に同等に適用可能であることを了解されたい。
【００４６】
[0056]時間周波数リソース要素４１５は、異なる目的のために使用され得る。たとえば、シンボル期間０および１などのリソース要素のセットが、物理ダウンリンク制御チャネル（ＰＤＣＣＨ）、物理ハイブリッドＡＲＱインジケータチャネル（ＰＨＩＣＨ）、および／または物理制御フォーマットインジケータチャネル（ＰＣＦＩＣＨ）など、ダウンリンク制御チャネル４２０に関連する送信のために予約され得る。リソース要素の別のセットは、シンボル期間２から１３までなど、物理ダウンリンク共有チャネル（ＰＤＳＣＨ）４２５に対応することができる。ＰＤＳＣＨ  ４２５は、上で図１、図２、および／または図３を参照して説明された１つまたは複数のＵＥ  １１５にユーザデータを送信するのに使用され得る。
【００４７】
[0057]コンポーネントキャリア４００は、シンボル期間４１０の様々なパーティションに分割され得る。たとえば、ダウンリンク送信の一部（たとえば、１フレームの１／１０）とされ得るサブフレーム４３０は、約１ｍｓの長さとされ得、シンボル期間０から１３までを含むことができる。各サブフレーム４３０は、シンボル期間０から６までを含むスロット４３５およびシンボル期間７から１３までを含むスロット４４０などのスロットにさらに副分割され得る。各シンボル期間４１０は、単一の変調シンボルを送信するのに十分な長さの時間をカバーすることができる。シンボル期間４１０は、ガード期間および／またはサイクリックプレフィックスの送信のために予約された時間の期間をも含むことができる。
【００４８】
[0058]コンポーネントキャリア４００の図示された部分は、基地局１０５によってＵＥ  １１５に送信されるトランスポートブロックの諸部分を示す。トランスポートブロックは、コードブロック０  ４４５、コードブロック１  ４４６、コードブロック２  ４４７、およびコードブロック３  ４４８など、複数のコードブロックを含むことができる（たとえば、コードブロックセグメンテーションが実施される場合に）。各コードブロックは、トランスポートブロックの送信に割り当てられた物理リソースブロック内の異なる時間周波数リソースを割り当てられ得る。たとえば、コードブロック０〜３は、第１に周波数、第２に時間の手法において、物理リソースブロックのセット内のリソースを割り当てられ得る。しかし、時間周波数リソースの他の構成および様々なトランスポートブロックおよび／またはコードブロックへの割当が、本明細書で企図されていることを了解されたい。
【００４９】
[0059]図４に示されているように、干渉４５０は、副搬送波１２Ｋ＋６から１２Ｋ＋９上で送信されるシンボル期間２から１０など、コンポーネントキャリア４００のいくつかの時間周波数リソースに様々な度合で影響する可能性がある。干渉４５０が、例として示されるのみであり、異なる干渉シナリオが、任意の所与のダウンリンク送信またはコンポーネントキャリアの異なる時間周波数リソースに干渉する可能性があることを了解されたい。
【００５０】
[0060]ＵＥ  １１５が、コンポーネントキャリア４００を受信した後に、ＵＥ  １１５は、干渉４５０によって影響された時間周波数リソースを識別することができる。いくつかの実施態様では、ＵＥ  １１５の第１のトランシーバ（たとえば、図２のＬＴＥ／ＬＴＥ−Ａトランシーバ２０５）が、共存マネージャを介して、ＧＳＭトランシーバ、Ｂｌｕｅｔｏｏｔｈトランシーバ、またはＣＤＭＡトランシーバなど、やはりＵＥ  １１５上で実施される第２のトランシーバ（たとえば、図２のトランシーバ２１０）から同時送信イベントまたは同時受信イベントに関連する干渉情報を入手することができる。共存マネージャは、ＵＥ  １１５上で実施されるトランシーバの両方から、送信／受信タイミング情報（たとえば、１つまたは複数のクロックに対する相対的な）、周波数情報、電力情報（たとえば、電力増幅器など）、および／または他の同様の情報を入手することができる。共存マネージャは、既知のまたは検出された干渉機構（たとえば、高調波、ＩＭＤ、熱雑音、ＲｘＢＮなど）に基づいて、複数のトランシーバによって実行される動作の間の時間および／または周波数のオーバーラップまたは競合を検出することができる。干渉されたリソース４５０が識別された後に、共存マネージャは、受信された信号に干渉軽減を適用することができる。
【００５１】
[0061]干渉軽減を適用する際に、ＵＥ  １１５は、現在アクティブな送信／受信の登録された情報を比較し、この比較に基づいて、説明される干渉軽減技法がイネーブルされなければならないかどうかを決定することができる。より具体的には、干渉軽減は、たとえば共存マネージャ自体によってまたはＵＥ  １１５のトランシーバに関連する他の手段によって、識別された干渉されたリソースにリソース固有干渉軽減アクションを適用することを含むことができる。リソース固有干渉軽減アクションの適用は、復号手順の性能を改善するために、干渉されたリソース（たとえば、干渉４５０によって影響されたリソース要素）に関連する受信サンプルをスキップしまたはヌルにすることを含むことができる。干渉されたリソースに関連する受信サンプルをスキップしまたはヌルにすることは、ＵＥ  １１５の処理リソースおよび電力リソースに依存して、異なるレベルの粒度で、たとえば、サブフレームレベル、シンボル期間レベル、またはサブキャリアレベルで実行され得る。
【００５２】
[0062]別の例では、ＵＥ  １１５は、ソフトコンバイニング性能およびシステムのスループットを改善するために、干渉４５０によって影響された干渉された時間周波数リソースに対応するＬＬＲインスタンスをスキップしまたはヌルにすることができる。この例では、ＵＥ  １１５は、干渉されたリソースを、ソフトコンバイニングプロセスに入力されるＬＬＲインスタンスにマッピングする。これは、受信処理動作（たとえば、復調、レートマッチング、デインターリービング、高速フーリエ変換（ＦＦＴ）処理など）を介する干渉を受ける特定の時間周波数リソースのマッピングを考慮に入れることを含む場合がある。干渉されたリソースに対応するＬＬＲインスタンスをスキップしまたはヌルにすることは、ブーストされた干渉された復号出力が累積復号または組み合わされた復号に影響しないように、干渉伝搬を最小にしまたは防ぐことができる。この形で、伝搬されたデバイス内共存干渉に起因するコンバイニング／復号失敗が、回避されおよび／または除去され得る。
【００５３】
[0063]ＰＤＣＣＨ  ４２０またはＰＤＳＣＨ  ４２５内のいくつかの時間周波数リソース要素４１５は、基準信号の送信に使用され得る。セル固有基準信号（ＣＲＳ）４５５などの基準信号は、チャネル識別とチャネル品質推定とに使用され得る。１つまたは複数のＣＲＳ  ４５５が、いくつかのシンボル期間および副搬送波内に含められ得、異なる位置が、異なるアンテナポートに関連付けられ得る。一例では、ＵＥ  １１５は、デバイス内共存干渉を受ける時間周波数リソース要素４１５を識別するために、受信されたＣＲＳ  ４５５の異なる特性（たとえば、受信電力）を比較することができる。たとえば、シンボル期間０に副搬送波１２Ｋ＋９上で送信されたＣＲＳ  ４５５が、第１の受信電力レベルである場合があり、同一のアンテナポートに関連する他のＣＲＳ  ４５５（たとえば、シンボル期間４、副搬送波１２Ｋ＋６のＣＲＳ  ４５５など）が、干渉４５０に起因して第２の電力レベルで受信される場合がある。ＵＥ  １１５は、ＣＲＳシンボルの受信電力レベルを比較し、この比較（たとえば、ある時間周波数リソースの受信電力レベルの間の差）に基づいて、時間周波数リソース要素４１５のある副搬送波、シンボル期間、またはブロックが、デバイス内共存によって潜在的に引き起こされる強い干渉を経験しつつあると決定することができる。その後、ＵＥ  １１５は、この決定に基づいてリソース固有軽減を適用することができる。リソース固有軽減は、たとえば、干渉された時間周波数リソース（たとえば、ある副搬送波のすべてのシンボル期間、あるシンボル期間のすべての副搬送波、副搬送波またはシンボル期間の諸部分、スロット４３５もしくは４４０のすべて、またはサブフレーム４３０全体）に関連するサンプルに関してスキップまたはヌル化を実行することを含むことができる。他の場合に、より多くの／異なるＣＲＳ（たとえば、異なるアンテナポートに関連するＣＲＳシンボルなど）が、異なるレベルの粒度（たとえば、リソース要素、シンボル期間、スロット、サブフレーム、副搬送波など）で干渉された時間周波数リソース要素４１５を識別するために比較され得る。いくつかの実施形態では、デバイス内共存マネージャとＣＲＳ技法との両方が、一緒に実施され得る。
【００５４】
[0064]図５に、様々な実施形態による、デバイス内共存干渉を管理するためのデバイスのコンポーネントの図５００を示す。図５００は、第１のトランシーバ５１０および第２のトランシーバ５１５と通信している共存マネージャ５０５を示す。共存マネージャ５０５は、前の図面を参照して上で説明された共存マネージャの態様の一部またはすべての例とされ得る。さらに、トランシーバ５１０および５１５は、図２を参照して上で説明されたトランシーバ２０５、２１０の態様の一部またはすべての例とされ得る。たとえば、上で説明されたように、トランシーバ５１０は、ＬＴＥ／ＬＴＥ−Ａ通信をサポートすることができるが、トランシーバ５１５は、ＧＳＭ、Ｂｌｕｅｔｏｏｔｈ、ＷＣＤＭＡなどをサポートすることができる。共存マネージャ５０５は、ファームウェア共存ラベル情報ベース（ＦＷ  Ｃｏｅｘ  ＬＩＢ）５２５と通信しているソフトウェア共存ラベル情報ベース（ＳＷ  Ｃｏｅｘ  ＬＩＢ）５２０を含む。第１のトランシーバ５１０は、それぞれがお互いと通信しているものとされ得る、ＲＦソフトウェアモジュール（ＳＵＢ１  Ｌ１／ＲＦ  ＳＷ）５３０と、ファームウェア（ＦＷ）モジュール５３５と、リアルタイムクロック（ＳＵＢ１  ＲＴＣ）５５０を含むＲＦモデム（ＳＵＢ１  Ｍｏｄｅｍ  ＨＷ／ＲＦ）５４０とを含むことができる。同様に、第２のトランシーバ５１５は、それぞれがお互いと通信しているものとされ得る、ＲＦソフトウェアモジュール（ＳＵＢ２  Ｌ１／ＲＦ  ＳＷ）５５０と、ファームウェアモジュール（ＦＷ）５５５と、リアルタイムクロック（ＳＵＢ２  ＲＴＣ）５６５を含むＲＦモデム（ＳＵＢ２  Ｍｏｄｅｍ  ＨＷ／ＲＦ）５６０とを含むことができる。ＳＵＢ１  Ｌ１／ＲＦ  ＳＷ  ５３０およびＳＵＢ２  Ｌ１／ＲＦ  ＳＷ  ５５０は、フレームレベルまたはコードブロックレベルでリンク５７０、５７１を介してＳＷ  Ｃｏｅｘ  ＬＩＢ  ５２０と通信しているものとされ得る。ＦＷ  ５３５およびＦＷ  ５５５は、スロットレベルでリンク５７５、５７６を介してＦＷ  Ｃｏｅｘ  ＬＩＢ  ５２５と通信しているものとされ得る。ＳＵＢ１  ＲＴＣ  ５４５およびＳＵＢ２  ＲＴＣ  ５６５は、ユニバーサル同期化タイマＵＳＴＭＲ  ５８０を介して整列されまたは同期化される。
【００５５】
[0065]各トランシーバ５１０、５１５は、送信／受信タイミング情報（たとえば、ＲＴＣ  ５４５、５６５、および／またはＵＳＴＭＲ  ５８０に対する相対的な）、周波数情報、電力情報（たとえば、電力増幅器など）、および／または他の同様の情報を共存マネージャ５０５に通信することができる。それに加えてまたはその代わりに、共存マネージャ５０５は、複数のトランシーバ５１０、５１５によって実行される動作の間の時間および／または周波数のオーバーラップまたは競合を検出することができる。たとえば、共存マネージャ５０５は、トランシーバ５１０の送信／受信動作とトランシーバ５１５の送信／受信動作との間の時間領域での競合を検出することができる。検出された競合に関して、共存マネージャ５０５は、送信／受信パラメータ（たとえば、周波数、電力など）に基づいて、送信／受信動作がいずれかのトランシーバへの干渉を引き起こすかどうかを決定することができる（たとえば、ルックアップテーブル内の事前に決定された干渉機構に関する情報などを使用して）。具体的には、共存マネージャ５０５は、既知の干渉機構（たとえば、高調波、ＩＭＤ、熱雑音、ＲｘＢＮなど）の影響を決定し、影響される時間周波数リソースについてトランシーバ５１０、５１５に知らせることができる。既知の干渉機構は、トランシーバのコンポーネントまたはサブアセンブリに対する実験室試験によって、またはいくつかの場合に干渉条件がデバイスの動作中に発生する時に干渉条件を検出することによって、決定され得る。いくつかの実施形態では、トランシーバ５１０、５１５は、干渉を受ける識別された時間周波数リソースに基づいて、受信された信号に対して干渉軽減を適用することができる。他の実施形態では、共存マネージャ５０５は、通信タイプ（たとえば、音声呼、データ送信／受信など）に基づく優先順位に従って競合を解決することができる。競合解決は、帯域回避（band avoidance）、送信に関するブランキングもしくは電力バックオフ、または受信された信号の干渉軽減を含むことができる。
【００５６】
[0066]いくつかの態様では、各トランシーバ５１０、５１５は、ＦＷモジュール５３５、５５５を介して共存マネージャ５０５のＦＷ  Ｃｏｅｘ  ＬＩＢ  ５２５に短期送受信アクティビティ／情報を登録することができる。ＦＷ  Ｃｏｅｘ  ＬＩＢ  ５２５は、送信／受信登録情報を記憶し、２つのトランシーバ５１０、５１５の間の短期競合を検出し／識別し、たとえば、デバイス内共存干渉を受ける時間周波数リソースを識別することができる。たとえば、各トランシーバ５１０、５１５は、５７５、５７６で、サブフレームレベルまたはスロットレベルで登録情報を通信することができる。トランシーバ５１０および５１５のＦＷモジュール５３５、５５５のそれぞれは、上で説明された技法に従って、たとえば共存干渉を引き起こす可能性があるリソース競合についてＦＷ  Ｃｏｅｘ  ＬＩＢ  ５２５に照会し、受信された送信にリソース固有軽減アクションを適用するのにこの情報を使用することができる。
【００５７】
[0067]いくつかの場合に、各ＦＷモジュール５３５、５５５は、送信／受信アクティビティが２つのトランシーバ５１０、５１５の間で調整され得るようにするために、ＦＷ  Ｃｏｅｘ  ＬＩＢ  ５２５から入手された競合／干渉情報をＳＵＢ１  Ｌ１／ＲＦ  ＳＷ  ５３０、ＳＵＢ２  Ｌ１／ＲＦ  ＳＷ  ５５０に通信することができる。調整は、まず第１にデバイス内共存干渉を回避するのを助けることができる。
【００５８】
[0068]いくつかの場合に、ＳＷ  Ｃｏｅｘ  ＬＩＢ  ５２０は、まず第１にリソース競合／デバイス内共存干渉を回避するのを助けるために、トランシーバ５１０、５１５に優先順位情報を提供することができる。いくつかの態様では、各トランシーバ５１０、５１５は、ＳＵＢ１  Ｌ１／ＲＦ  ＳＷ  ５３０およびＳＵＢ２  Ｌ１／ＲＦ  ＳＷ  ５５０を介して共存マネージャ５０５のＳＷ  Ｃｏｅｘ  ＬＩＢ  ５２０に長期送受信アクティビティ／情報を登録することができる。ＳＷ  Ｃｏｅｘ  ＬＩＢ  ５２０は、送信／受信登録情報を記憶し、２つのトランシーバ５１０、５１５の間の長期競合を検出／識別し、たとえば、デバイス内共存干渉を受ける時間周波数リソースを識別することができる。ＳＵＢ１  Ｌ１／ＲＦ  ＳＷ  ５３０およびＳＵＢ２  Ｌ１／ＲＦ  ＳＷ  ５５０のそれぞれは、リンク５７０、５７１を介してフレームレベルまたはコードブロックレベルでＳＷ  Ｃｏｅｘ  ＬＩＢ  ５２０に長期登録情報を通信することができる。その後、競合／干渉情報は、上で説明された技法に従って、受信された送信にリソース固有軽減アクションを適用するのに使用されるために、トランシーバ５１０、５１５のＳＵＢ１  Ｌ１／ＲＦ  ＳＷ  ５３０とＳＵＢ２  Ｌ１／ＲＦ  ＳＷ  ５５０とに戻って通信され得る。
【００５９】
[0069]ＵＳＴＭＲ  ５８０は、共存マネージャ５０５がトランシーバ５１０、５１５の間の送受信アクティビティオーバーラップを検出することを可能にするために共通の時間基準を提供することができる。時刻転送ダンプが、ＳＵＢ１  ＲＴＣ  ５４５およびＳＵＢ２  ＲＴＣ  ５６５からのＲＴＣ時刻をＵＳＴＭＲ時刻に変換するのに使用され得る。
【００６０】
[0070]図６Ａに、様々な実施形態による、デバイス内共存干渉を受ける識別された時間周波数リソースにＵＥ  １１５−ｂによってリソース固有干渉軽減を適用する方法を示す流れ図６００−ａを示す。ＵＥ  １１５−ｂは、デバイス内共存干渉を受ける、基地局１０５−ｃからの１つまたは複数の送信、たとえば、１つまたは複数のＯＦＤＭ送信をコンポーネントキャリア４００を介して受信することができる。ＵＥ  １１５−ｂは、たとえば第１のトランシーバ（図２および／または図５を参照して説明されたトランシーバ２０５および／または５１０の１つまたは複数の態様の例とされ得る）に関連する受信機６０５と復号器６１０とを含むことができる。デバイス内共存干渉は、ＵＥ  １１５−ｂの別のトランシーバ、たとえば図２および／または図５を参照して説明されたトランシーバ２１０および／または５１５の１つまたは複数の同時送信（または受信）によって引き起こされ得る。ＵＥ  １１５−ｂは、前の図面を参照して上で説明されたＵＥ  １１５の１つまたは複数の態様の例とされ得、同様に、基地局１０５−ｃは、前の図面を参照して上で説明された基地局１０５の１つまたは複数の態様の例とされ得る。
【００６１】
[0071]基地局１０５−ｃは、まず、６１５で、ＵＥ  １１５−ｂに送信を送ることができ、この送信は、受信機６０５によって受信される。その後、ＵＥ  １１５−ｂは、たとえば共存マネージャ５０５を介してまたはＣＲＳ  ４５５を利用することによるなど、図４と図５とを参照して上で説明された技法を介して、６２０−ａで共存干渉を受ける受信された信号の時間周波数リソース（ＴＦＲ）を識別することができる。いくつかの実施態様では、識別は、ＵＥ  １１５−ｂの受信機６０５で実行され得るが、他の場合には、図５の共存マネージャ５０５など、ＵＥ  １１５−ｂの他のプロセッサおよび／またはコンポーネントが識別を実行することができる。受信機６０５（または、いくつかの場合に共存マネージャ）は、６２５−ａでリソース固有干渉軽減を適用することができる。リソース固有干渉軽減は、図４と図５とを参照して上で説明されたように、受信された信号の時間周波数リソースをスキップしまたはヌルにすることを含むことができる。
【００６２】
[0072]その後、６３０−ａで、受信された信号の軽減された受信されたシンボルが復号器６１０に通信され得る。復号器６１０は、６３５−ａで、軽減された受信された信号に復号処理を適用し、ＨＡＲＱプロセスを介して受信された信号のソフトコンバイニングで使用されるＬＬＲインスタンスを生成することができる。復号処理は、受信された信号を復調することを含むことができる（たとえば、ＱＰＳＫ、１６  ＱＡＭなどの変調方式に基づく）。その後、復号器６１０は、送信６１５が成功裡に復号され得るかどうかを決定するために、６４０−ａでＬＬＲインスタンスを評価することができる。デバイス内共存干渉に起因して、６４５−ａで復号手順が失敗する可能性があり、６５０−ａで、６１５で送られた送信の再送信を要求するＮＡＣＫが、基地局１０５−ｃに送られ得る。
【００６３】
[0073]しかし、共存干渉を受けるものとして識別された時間周波数リソースをスキップしまたはヌルにする（リソース固有干渉軽減を適用する）ことと、軽減されたシンボルを復号器６１０に入力することとによって、復号プロセスは、まず第１に６４５−ａで失敗するのではなくなる可能性がある。リソース固有軽減の適用は、復号プロセスが、たとえば送信自体内の誤り検出／冗長性に基づいて、訂正された送信を提供することを可能にすることができる。これは、たとえば、干渉を受ける副搬送波をスキップすることによって達成され得、それと同時に、同一のまたは冗長な情報が、コンポーネントキャリアの異なる副搬送波上で送信される。干渉された副搬送波をスキップすることによって、復号処理６３５−ａは、送信６１５のすべてより少数の時間周波数リソースが復号プロセスで使用される場合であっても、送信６１５を正しく復号することができる。同様に、他のリソース固有軽減技法は、たとえばスロット、シンボルなどをスキップしまたはヌルにすることを含めて、同様の結果を生じることができる。
【００６４】
[0074]リソース固有軽減の適用が、送信６１５に関して成功ではなく、６４５−ａで復号失敗が検出される場合に、基地局１０５−ｃは、６５０−ａで送信されたＮＡＣＫに応答して、６５５−ａでメッセージを再送信することができる。上で説明したように、再送信６５５−ａは、送信６１５と同一の情報（たとえば、チェースコンバイニング）または同一のメッセージもしくはトランスポートブロックの異なるもしくは冗長な情報（たとえば、増分冗長性）を含むことができる。やはり、ＵＥ  １１５−ａの受信機６０５は、６２０−ｂでデバイス内共存干渉を受ける再送信６５５−ａの時間周波数リソースを識別し、６２５−ｂでリソース固有干渉軽減アクションを適用し、６３０−ｂで軽減された受信された信号を復号器６１０に通信することができる。その後、復号器６１０は、軽減された受信された信号を復号処理６３５−ｂにかけ、６６０で、復号から生成されたＬＬＲインスタンス６４０−ｂを第１の送信６１５からのＬＬＲインスタンス６４０−ａとソフトコンバインすることができる。やはり、リソース固有軽減は、復号手順およびソフトコンバイニング手順で共存干渉の影響を減らすことができる。しかし、図示の例では、復号は、やはり６４５−ｂで失敗する可能性があり、第２のＮＡＣＫ  ６５０−ｂが、トランスポートブロックの第２の再送信を要求するために基地局１０５−ｃに送られる可能性がある。
【００６５】
[0075]その後、プロセスは、６５５−ｂで基地局１０５−ｃが第２の再送信を送ることを繰り返すことができる。ＵＥ  １１５−ａの受信機６０５は、６２０−ｃでデバイス内共存干渉を受ける時間周波数リソースを識別し、６２５−ｃでリソース固有干渉軽減を適用し、６３０−ｃで復号器６１０に軽減された受信された信号を通信することができる。その後、復号器６１０は、軽減された受信された信号を復号処理６３５−ｃにかけ、６６０−ｂで、第２の再送信６５５−ｂからのＬＬＲインスタンスを以前の送信および再送信からのＬＬＲインスタンスとさらにコンバインすることができる。送信６１５または再送信６５５のそれぞれが、デバイス内共存干渉を受ける可能性があるので、軽減がなければ、デバイス内共存干渉は、各送信から生成されるＬＬＲインスタンスが大きい誤りまたは不確実性を有するようにさせる可能性がある。したがって、上で説明されるようにリソース固有軽減を適用する（たとえば、干渉されたリソースをスキップしまたはヌルにする）ことは、復号器６１０が６６５でメッセージまたはトランスポートブロックを成功裡に復号することを可能にすることができ、軽減がなければ、復号は、６６０−ｂでの送信および再送信のソフトコンバイニングの後に、やはり失敗するはずである。すなわち、各復号処理ステップ６３５でより少ない情報が復号される可能性があっても、強い共存干渉を伴うシンボルの復号から生じる可能性がある高い不確実性が復号処理を介して伝搬されないので、ソフトコンバイニングを含む復号処理は、メッセージまたはトランスポートブロックを成功裡に復号することのより高い尤度を有することができる。
【００６６】
[0076]したがって、６２５で、デバイス内共存干渉を受ける受信された時間周波数リソースにリソース固有軽減技法を適用することによって、送信６１５を成功裡に受信し、復号するのに必要な再送信６５５の回数が、減らされ得る。これは、メッセージまたはトランスポートブロックを成功裡に復号するためにより少数の再送信を要求する必要があるという点でＵＥ  １１５−ｂによるより少ない電力消費をもたらすことができる。これは、ＵＥ  １１５−ｂと基地局１０５−ｃとの間の通信のより高いスループットをもたらすこともできる。
【００６７】
[0077]図６Ｂに、様々な実施形態による、ＵＥ  １１５−ｃによって、デバイス内共存干渉を受ける識別された時間周波数リソースにリソース固有干渉軽減を適用する別の方法を示す流れ図６００−ｂを示す。ＵＥ  １１５−ｃは、基地局１０５−ｄから、デバイス内共存干渉を受ける１つまたは複数の送信、たとえば、図４を参照して説明されたコンポーネントキャリア４００を含む１つまたは複数のＯＦＤＭ送信を受信することができる。ＵＥ  １１５−ｃは、受信機６０５−ａと復号器６１０−ａとを含むことができ、図６Ａを参照して説明されたＵＥ  １１５−ｂの１つまたは複数の態様の例とされ得る。受信機６０５−ａおよび復号器６１０−ａは、第１のトランシーバに関連することができ、第１のトランシーバは、図２を参照して説明されたトランシーバ２０５または図５のトランシーバ５１０の１つまたは複数の態様の例とされ得る。デバイス内共存干渉は、ＵＥ  １１５−ｃの別のトランシーバ、たとえば図２を参照して説明されたトランシーバ２１０または図５のトランシーバ５１５の１つまたは複数の同時送信（または受信）によって引き起こされ得る。ＵＥ  １１５−ｃは、前の図面を参照して上で説明されたＵＥ  １１５の１つまたは複数の態様の例とされ得、同様に、基地局１０５−ｄは、前の図面を参照して上で説明された基地局１０５の１つまたは複数の態様の例とされ得る。
【００６８】
[0078]基地局１０５−ｄは、まず、６１５−ａでＵＥ  １１５−ｃに送信を送ることができ、この送信は、受信機６０５−ａによって受信され得る。その後、ＵＥ  １１５−ｃは、たとえば共存マネージャ５０５を介してまたはＣＲＳ  ４５５を利用することによるなど、図４と図５とを参照して上で説明された技法を介して、６２０−ｄで共存干渉を受ける受信された信号の時間周波数リソースを識別することができる。いくつかの実施態様では、識別は、ＵＥ  １１５−ｃの受信機６０５−ａで実行され得るが、他の場合には、図５の共存マネージャ５０５など、ＵＥ  １１５−ｃの他のプロセッサおよび／またはコンポーネントが識別を実行することができる。
【００６９】
[0079]その後、受信機６０５−ａは、６７０−ａで、干渉された時間周波数リソースを識別する情報と一緒に、復号器６１０−ａに受信された送信の受信されたシンボルを通信することができる。その後、復号器６１０−ａは、復号プロセス中にリソース固有軽減を適用することができる６７５−ａ。これは、上で説明された技法を介して、共存干渉を受ける識別された時間周波数リソースに対応するＬＬＲインスタンスをスキップしまたはヌルにすることを含むことができる。その後、軽減されたＬＬＲインスタンスが、６８０−ａで評価され得る。デバイス内共存干渉に起因して、ソフトコンバイニング手順は、６４５−ｃで失敗する可能性があり、６１５−ａで送られたメッセージまたはトランスポートブロックの再送信を要求するＮＡＣＫが、６５０−ｃで基地局１０５−ｄに送り返される可能性がある。
【００７０】
[0080]ＮＡＣＫ  ６５０−ｃに応答して、基地局１０５−ｄは、６５５−ｃで再送信メッセージを送ることができる。やはり、ＵＥ  １１５の受信機６０５−ａは、その後、６２０−ｅでデバイス内共存干渉を受ける時間周波数リソースを識別し、６７０−ｂで干渉された時間周波数リソースを識別する情報と一緒に受信された信号を復号器６１０−ａに通信することができる。その後、復号器６１０−ａは、復号プロセス中に対応するＬＬＲインスタンスにリソース固有干渉軽減を適用することができる６７５−ｂ。いくつかの例では、送信６５５−ｃのリソース固有軽減は、送信に関連するいくつかのまたはすべてのＬＬＲ  ６８０−ｂをスキップしまたはヌルにすることを含むことができる。たとえば、多数（たとえば、ＬＬＲの５０％などのしきい値より大きいなど）が、受信された信号に存在する共存干渉によって破壊されていると決定される場合に、ソフトコンバイニングステップ６６０−ｃは、スキップされ得、復号は、６４５−ｄで失敗し、第２の再送信を引き起こすための第２のＮＡＣＫ  ６５０−ｄをもたらす。他の例では、その後、軽減されたＬＬＲインスタンス６８０−ｂ（たとえば、スキップされまたはヌルにされたいくつかのＬＬＲインスタンスを伴う）が、６６０−ｃで、第１の送信６１５−ａに関連するＬＬＲ  ６８０−ａとコンバインされ得る（たとえば、合計されるなど）。しかし、図示の例では、ソフトコンバイニング手順が、６４５−ｄで失敗する可能性がある。このシナリオでは、第２の再送信を要求する第２のＮＡＣＫ  ６５０−ｄが基地局１０５−ｄに送られ得る。このプロセスは、たとえば６６５−ａで、メッセージが成功裡に受信されたことをソフトコンバイニングが示すまで繰り返し続けることができる。
【００７１】
[0081]ソフトコンバイニングプロセスは、異なるタイプの干渉によって異なる形で影響される可能性がある。たとえば、同一の送信（たとえば、チェースコーミング）が、干渉を伴って２回以上受信される時に、ソフトコーミングプロセスは、訂正された送信を提供することができる。これは、送信および再送信が同一の干渉を経験するかどうかに無関係に成り立つことができる。たとえば、送信および再送信からのＬＬＲが、それぞれ、成功の復号動作を示すレベル未満の不確実性レベルをもたらすことができる。しかし、コンバインされる（たとえば、合計されるなど）時に、コンバインされたＬＬＲは、成功の復号のしきい値を満足することができる。
【００７２】
[0082]しかし、他の場合に、たとえば干渉が送信を大幅に劣化させるのに十分に強い時、干渉が散発的である時などに、現在のソフトコンバイニング技法は、干渉を伝搬させ、成功の復号を阻止しまたは遅延させる。これは、トランスポートブロックまたは送信の他のリソースが、複数の送信または再送信のうちの１つまたは複数内で高いレベルの干渉を受ける場合にあてはまる可能性がある。この場合に、高いレベルの干渉を受けるリソースに対応するＬＬＲのコンバイニングは、実際には、誤りのない復号を示す信頼レベルを下げる可能性がある。その結果、破壊されたＬＬＲのソフトコンバイニングは、トランスポートブロックの成功の復号を遅延させるか完全に防止する可能性がある。このシナリオおよび誤り伝搬が発生する可能性がある他の同様のシナリオでは、干渉されたＬＬＲをスキップしまたはヌルにすることを含む、説明される干渉軽減技法は、ソフトコンバイニング性能を改善することができる。説明される技法は、誤りのない送信を入手するのに必要な再送信の回数を減らし、ＢＬＥＲを低下させ、デバイスの全体的なスループットを高めることができる。
【００７３】
[0083]したがって、図６Ｂに示された技法は、メッセージまたはトランスポートブロックの成功の復号に必要な再送信の回数を減らすことができる。たとえば、１組のＬＬＲ（たとえば、ＬＬＲ  ６８０−ｂ）が共存干渉の強い効果から損害を受ける場合に、その送信からのＬＬＲをスキップしまたはヌルにすることは、他の送信に関連するＬＬＲ（たとえば、ＬＬＲ  ６８０−ａおよび６８０−ｃ）に基づく成功の復号を可能にすることができる。
【００７４】
[0084]図７に、様々な実施形態による、デバイス内共存干渉を受ける識別された時間周波数リソースにリソース固有干渉軽減を適用するように構成され得るデバイス７０５の例を示すブロック図７００を示す。デバイス７０５は、前の図面を参照して説明されたＵＥ  １１５または基地局１０５の１つまたは複数の態様の例とされ得る。デバイス７０５は、それぞれが諸実施形態で他のコンポーネントのいずれかまたはすべてに通信可能に結合され得る、第１のトランシーバ７１０と、時間周波数リソース識別モジュール７１５と、リソース固有軽減モジュール７２０と、復号モジュール７２５とを含むことができる。
【００７５】
[0085]第１のトランシーバ７１０は、図１と図２とを参照して説明されたワイヤレス通信システム１００および／または２００などのワイヤレス通信システム内で様々なタイプのデータ信号および／または制御信号を送信し、受信するのに使用され得る。いくつかの態様で、第１のトランシーバ７１０は、ＯＦＤＭ／ＯＦＤＭＡ無線アクセス技術を介して通信するよう構成され得る。第１のトランシーバ７１０は、図２と図５とを参照して説明されたトランシーバ２０５もしくはトランシーバ５１０または図６Ａと図６Ｂとを参照して説明された受信機６０５と復号器６１０との１つまたは複数の態様の例とされ得る。トランシーバ７１０は、単独でまたは他のコンポーネントと組み合わされてのいずれかで、本明細書で説明される通信するための手段とされ得る。いくつかの場合に、第１のトランシーバ７１０は、たとえばＧＳＭ、Ｂｌｕｅｔｏｏｔｈ、ＣＤＭＡ、その他などの異なる無線アクセス技術を実施する、ＵＥ  １１５または基地局１０５の別のトランシーバ（図示せず）によって引き起こされる共存干渉を受ける１つまたは複数の信号を受信することができる。
【００７６】
[0086]第１のトランシーバ７１０は、図４を参照して上で説明された１つまたは複数のコンポーネントキャリアを含むことができるＯＦＤＭ信号を受信することができる。同時に、ＵＥ  １１５または基地局１０５の別のトランシーバが、第１のトランシーバ７１０によって受信される信号に対するデバイス内共存干渉を引き起こす可能性がある１つまたは複数のメッセージを、異なる無線アクセス技術を介して送信（または受信）する場合がある。一実施形態では、時間周波数リソース識別モジュール７１５は、上で説明された技法を介して、他のトランシーバの同時送信からの干渉を受ける受信されたＯＦＤＭ信号の時間周波数リソースを識別することができる。いくつかの態様では、時間周波数リソース識別モジュール７１５は、図５を参照して説明された共存マネージャ５０５の１つまたは複数の態様を実施することができる。いくつかの態様では、時間周波数リソース識別モジュール７１５は、共存干渉を受ける時間周波数リソースを識別するために、図４を参照して上で説明されたＣＲＳ比較技法を実施することができる。
【００７７】
[0087]リソース固有軽減モジュール７２０は、時間周波数リソース識別モジュール７１５から、共存干渉を受けるものとして識別された時間周波数リソースに関する情報を受け取ることができる。その後、リソース固有軽減モジュール７２０は、共存干渉を受けるものとして識別された時間周波数リソースに１つまたは複数のリソース固有軽減アクションを適用することができる。これは、１つまたは複数のシンボル、スロット、サブフレーム、副搬送波、その他など、干渉を受ける受信された信号の時間周波数リソースをスキップしまたはヌルにすることを含むことができる。その後、リソース固有軽減モジュール７２０は、軽減された受信された信号（たとえば、ヌルにされまたはスキップされたシンボル／ビットなどを含む）を復号モジュール７２５に通信することができ、復号モジュール７２５では、適当な復号プロセスが、送信に使用されたコードレートおよび変調方式に基づいて、受信された信号に適用され得る。
【００７８】
[0088]いくつかの実施態様では、復号モジュール７２５は、ソフトコンバイナ／ＨＡＲＱモジュールを実施することもできる。このシナリオでは、リソース固有軽減モジュール７２０（または時間周波数リソース識別モジュール７１５）は、時間周波数リソース識別モジュール７１５によって共存干渉を受けるものとして識別された時間周波数リソースを、復号モジュール７２５によって生成されたＬＬＲにマッピングするように構成され得る。その後、リソース固有軽減モジュール７２０は、ＬＬＲにリソース固有干渉軽減、たとえば上でより詳細に説明されたように、干渉された時間周波数リソースに対応するＬＬＲをスキップしまたはヌルにすることを適用することができる。その後、軽減されたＬＬＲは、復号モジュール７２５のソフトコンバイナに通信され得る。ソフトコンバイナは、軽減されたＬＬＲに従って、複数の送信からのＬＬＲをコンバインすることができる。これらの技法は、破壊されたＬＬＲがソフトコンバイニング手順内で伝搬するのを防ぎ、複数の送信または再送信からの成功の復号のより高い尤度をもたらすことができる。
【００７９】
[0089]図８に、様々な実施形態による、デバイス内共存干渉を受ける識別された時間周波数リソースにリソース固有干渉軽減を適用するように構成され得るデバイス７０５−ａの別の例を示すブロック図８００を示す。デバイス７０５−ａは、図７を参照して説明されたデバイス７０５および／または前の図面を参照して説明されたＵＥ  １１５もしくは基地局１０５の１つまたは複数の態様の例とされ得る。デバイス７０５−ａは、それぞれが諸実施形態で他のコンポーネントのいずれかまたはすべてに通信可能に結合され得る、第１のトランシーバ７１０−ａと、ＣＲＳサブモジュール８０５を含む共存マネージャ５０５−ａと、リソース固有軽減モジュール７２０−ａと、復号モジュール７２５−ａと、ソフトコンバイニング／ＨＡＲＱモジュール８２０と、第２のトランシーバ８２５とを含むことができる。リソース固有軽減モジュール７２０−ａは、干渉された時間周波数リソースに関連する受信された信号のサンプルおよび／またはＬＬＲをスキップしまたはヌルにするためのスキッピングサブモジュール８１０またはヌリングサブモジュール８１５の一方または両方を含むことができる。
【００８０】
[0090]第１のトランシーバ７１０−ａおよび復号モジュール７２５−ａは、図７を参照して説明された第１のトランシーバ７１０と復号モジュール７２５との１つまたは複数の態様を実施することができる。したがって、これらのコンポーネントの同様の機能性は、ここで再びは説明されない。
【００８１】
[0091]第２のトランシーバ８２５は、図１と図２とを参照して説明されたワイヤレス通信システム１００および／または２００などのワイヤレス通信システム内で様々なタイプのデータ信号および／または制御信号を送信し、受信するのに使用され得る。いくつかの態様で、第２のトランシーバ８２５は、ＧＳＭ、Ｂｌｕｅｔｏｏｔｈ、ＣＤＭＡ、ＷＣＤＭＡ、またはＷｉ−Ｆｉなどの他の無線アクセス技術を介して通信するよう構成され得る。第２のトランシーバ８２５は、図２および／または図５を参照して説明されたトランシーバ２１０および／または５１５の１つまたは複数の態様の例とされ得る。トランシーバ８２５は、単独でまたは他のコンポーネントと組み合わされてのいずれかで、本明細書で説明される通信するための手段とされ得る。いくつかの場合に、第１のトランシーバ７１０−ａは、第２のトランシーバ８２５によって引き起こされる共存干渉を受ける１つまたは複数の信号を受信することができる。説明のために、デバイス７０５−ａは、２つのトランシーバまたはラジオのみを伴って図示されているが、デバイス７０５−ａが、それぞれが１つまたは複数の無線アクセス技術をサポートすることができる任意の個数のトランシーバ／ラジオを含むことができることを了解されたい。
【００８２】
[0092]共存マネージャ５０５−ａは、第１のトランシーバ７１０−ａおよび第２のトランシーバ８２５から送信／受信情報を受け取ることができる。共存マネージャ５０５−ａは、図５と図７とを参照して説明された共存マネージャ５０５および／または時間周波数リソース識別モジュール７１５の１つまたは複数の態様の例とされ得る。共存マネージャ５０５−ａは、干渉を受ける、第１のトランシーバ７１０−ａによって受信された信号の時間周波数リソースを識別することができる。いくつかの場合に、時間周波数リソースは、図４を参照して上で説明された技法に従って共存マネージャ５０５−ａのＣＲＳサブモジュール８０５によって識別され得る。
【００８３】
[0093]リソース固有軽減モジュール７２０−ａは、共存マネージャ５０５−ａから共存干渉を受けるものとして識別された時間周波数リソースのアイデンティティを受け取ることができる。その後、リソース固有軽減モジュール７２０−ａは、上で説明されたように、共存干渉を受けるものとして識別されたリソースに１つまたは複数のリソース固有軽減アクションを適用することができる。たとえば、リソース固有軽減モジュール７２０−ａのスキッピングサブモジュール８１０は、受信された送信を復号モジュール７２５−ａおよび／またはソフトコンバイニング／ＨＡＲＱモジュール８２０に通信する前に、共存干渉を受けると共存マネージャ５０５−ａによって識別された識別された時間周波数リソースのうちの１つまたは複数をスキップすることができる。同様に、リソース固有軽減モジュール７２０−ａのヌリングサブモジュール８１５は、受信された送信を復号モジュール７２５−ａおよび／またはソフトコンバイニング／ＨＡＲＱモジュール８２０に通信する前に、共存干渉を受けると共存マネージャ５０５−ａによって識別された識別された時間周波数リソースのうちの１つまたは複数をヌルにすることができる。いくつかの実施形態では、スキッピングサブモジュール８１０またはヌリングサブモジュール８１５のうちの１つだけが、リソース固有軽減モジュール７２０−ａ内で実施され、および／またはアクティブになることができる。他の実施形態では、スキッピングサブモジュール８１０とヌリングサブモジュール８１５との両方が、リソース固有軽減モジュール７２０−ａ内で実施され、またはアクティブになることができる。干渉を受ける受信された時間周波数リソースにリソース固有干渉軽減を適用することによって、デバイス７０５−ａの受信性能が、高められ得る。
【００８４】
[0094]いくつかの実施形態では、その後、軽減された時間周波数リソース（たとえば、スキッピングおよび／またはヌリングが適用された後の受信された送信）が、復号されるために復号モジュール７２５−ａに通信され得る。復号モジュール７２５−ａは、受信された送信に対応するＬＬＲを生成し、そのＬＬＲをソフトコンバイニング／ＨＡＲＱモジュール８２０に通信することができる。ソフトコンバイニング／ＨＡＲＱモジュール８２０は、送信が誤りなしで受信された尤度を決定するためにＬＬＲをコンバインすることができる。信頼レベルが、復号成功しきい値未満である場合には、ソフトコンバイニング／ＨＡＲＱモジュール８２０は、送信の再送信を要求するために、送出するデバイス（たとえば、基地局１０５）にＮＡＣＫを送るように第１のトランシーバ７１０−ａに命令することができる。復号モジュール７２５−ａおよびソフトコンバイニング／ＨＡＲＱモジュール８２０による復号および／またはソフトコンバイニングは、図６Ａと図６Ｂとを参照して上で説明されたように実行され得る。この形で、まず第１に、受信された送信の復号が、上で説明されたように復号失敗を減らすことによって改善され得る。
【００８５】
[0095]いくつかの実施形態では、受信された送信は、第１のトランシーバ７１０−ａから復号モジュール７２５−ａに直接に通信され得る。さらに、受信された送信は、干渉されたリソースが識別され、リソース固有軽減モジュール７２０−ａに示され得るようにするために、共存マネージャ５０５−ａに通信され得る。復号モジュール７２５−ａは、受信された送信から生成されたＬＬＲをリソース固有軽減モジュール７２０−ａに通信することができる。その後、リソース固有軽減モジュール７２０−ａは、上で説明されたように、ソフトコンバイニング手順を改善するためにＬＬＲにリソース固有軽減を適用することができる。一例では、リソース固有軽減モジュール７２０−ａのスキッピングサブモジュール８１０は、ＬＬＲをソフトコンバイニング／ＨＡＲＱモジュール８２０に通信する前に、共存干渉を受けると共存マネージャ５０５−ａによって識別された時間周波数リソースに対応するＬＬＲのうちの１つまたは複数をスキップすることができる。同様に、リソース固有軽減モジュール７２０−ａのヌリングサブモジュール８１５は、ＬＬＲをソフトコンバイニング／ＨＡＲＱモジュール８２０に通信する前に、共存干渉を受けると共存マネージャ５０５−ａによって識別された時間周波数リソースに対応する１つまたは複数のＬＬＲをヌルにすることができる。ソフトコンバイニング／ＨＡＲＱモジュール８２０は、送信が誤りなしで受信された尤度を決定するためにＬＬＲを比較し、それに応じて、送出する基地局にＮＡＣＫを送信するように第１のトランシーバ７１０−ａに命令することができる。
【００８６】
[0096]ＬＬＲレベルで干渉軽減を実施することによって、ソフトコンバイニング性能が高められ得ると同時に、上でより詳細に説明されたように、ソフトコンバイニングプロセスでの誤り伝搬が減らされる。これは、送出するデバイス（たとえば、基地局１０５）との通信のスループットを高めることができる。
【００８７】
[0097]図９は、様々な実施形態による、デバイス内共存干渉を受ける識別された時間周波数リソースにリソース固有干渉軽減を適用するように構成されたＵＥ  １１５−ｄのブロック図９００である。ＵＥ  １１５−ｄは、ＵＥ  １１５および／またはデバイス７０５の１つまたは複数の態様の例とされ得、ならびに／あるいは前の図面を参照して上で説明された共存マネージャ５０５の１つまたは複数の態様の例とされ得る。ＵＥ  １１５−ｄは、図１、図２、図６Ａ、および／または図６Ｂを参照して上で説明された少なくとも１つの基地局１０５および／またはＵＥ  １１５と通信することができる。ＵＥ  １１５−ｄは、パーソナルコンピュータ（たとえば、ラップトップコンピュータ、ネットブックコンピュータ、タブレットコンピュータなど）、スマートフォン、セルラ電話機、ＰＤＡ、ウェアラブルコンピューティングデバイス、デジタルビデオレコーダ（ＤＶＲ）、インターネット機器、ルータ、ゲーム機、電子ブックリーダー、ディスプレイデバイス、プリンタ、その他など、様々な構成のいずれかを有することができる。ＵＥ  １１５−ｄは、モバイル動作を容易にするために、小型バッテリなどの内部電源（図示せず）を有することができる。
【００８８】
[0098]ＵＥ  １１５−ｄのコンポーネントは、個別にまたは集合的に、適用可能な機能の一部またはすべてをハードウェアで実行するように適合された少なくとも１つの特定用途向け集積回路（ＡＳＩＣ）を使用して実施され得る。代替案では、機能は、少なくとも１つの集積回路上で少なくとも１つの他の処理ユニット（またはコア）によって実行され得る。他の例では、当技術分野で既知の任意の形でプログラムされ得る他のタイプの集積回路が使用され得る（たとえば、構造化／プラットフォームＡＳＩＣ、フィールドプログラマブルゲートアレイ（ＦＰＧＡ）、および他のセミカスタムＩＣ）。各ユニットの機能は、全体的にまたは部分的に、少なくとも１つの汎用プロセッサまたはアプリケーション固有プロセッサによって実行されるようにフォーマットされた、メモリ内で実施される命令を用いて実施されることも可能である。
【００８９】
[0099]ＵＥ  １１５−ｄは、それぞれがたとえば少なくとも１つのバス９４５を介して直接にまたは間接にお互いと通信することができる、アンテナ９１０、９２０と、第１のトランシーバ７１０−ｂと、第２のトランシーバ８２５−ａと、メモリ９３５と、プロセッサ９３０と、入出力デバイス９２５とを含む。第１のトランシーバ７１０−ｂおよび第２のトランシーバ８２５−ａは、前の図面を参照して説明されたトランシーバ７１０、８２５の１つの態様の例とされ得る。第１のトランシーバ７１０−ｂおよびアンテナ９１０は、前の図面を参照して説明されたリンク１２５を介して、ＬＴＥ／ＬＴＥなどのＯＦＤＭ／ＯＦＤＭ無線アクセス技法を介して通信するように構成され得る。第２のトランシーバ８２５−ａおよびアンテナ９２０は、前の図面を参照して説明されたリンク１２５のいずれかを介して、ＧＳＭ、Ｂｌｕｅｔｏｏｔｈ、ＣＤＭＡ、ＷＣＤＭＡ、Ｗｉ−Ｆｉ、その他などの別の無線アクセス技法を介して通信するように構成され得る。各トランシーバ７１０−ｂ、８２５−ａは、アンテナ９１０、９２０を介して両方向で通信するように構成され得る。トランシーバ７１０−ｂ、８２５−ａは、アンテナ９１０、９２０に関連してパケットを送信し、受信することができる。ＵＥ  １１５−ｄは、多入力多出力（ＭＩＭＯ）通信システム内で通信を送信し、受信するために複数のアンテナ９１０、９２０を使用できる場合がある。
【００９０】
[0100]メモリ９３５は、ランダムアクセスメモリ（ＲＡＭ）と読取専用メモリ（ＲＯＭ）とを含むことができる。メモリ９３５は、実行された時にプロセッサ９３０に本明細書で説明される様々な機能を実行させるように構成された命令を含むコンピュータ可読コンピュータ実行可能ソフトウェアコード９４０を記憶することができる。代替案では、ソフトウェア９４０は、プロセッサ９３０によって直接に実行可能であるのではなく、コンピュータに（たとえば、コンパイルされ実行される時に）本明細書で説明される機能を実行させるように構成され得る。プロセッサ９３０は、インテリジェントハードウェアデバイス、たとえば、中央処理装置（ＣＰＵ）、マイクロコントローラ、特定用途向け集積回路（ＡＳＩＣ）その他を含むことができる。
【００９１】
[0101]図９のアーキテクチャによれば、ＵＥ  １１５−ｄは、共存マネージャ５０５−ｂと、リソース固有軽減モジュール７２０−ｂと、復号モジュール７２５−ｂとをさらに含むことができる。例として、ＵＥ  １１５−ｄのこれらのコンポーネントは、バス９４５を介してＵＥ  １１５−ｄの他のコンポーネントの一部またはすべてと通信しているものとされ得る。それに加えてまたはその代わりに、これらのコンポーネントまたはモジュールの機能性は、トランシーバ７１０−ｂ、８２５−ａを介して、ソフトウェア９４０内に記憶されたコンピュータプログラム製品として、および／またはプロセッサ９３０の少なくとも１つのコントローラ要素として、実施され得る。いくつかの実施形態では、共存マネージャ５０５−ｂ、リソース固有軽減モジュール７２０−ｂ、および復号モジュール７２５−ｂは、プロセッサ９３０によって実行される、メモリ９３５／ソフトウェア９４０内のサブルーチンとして実施され得る。他の場合に、これらのモジュールは、プロセッサ９３０自体の中のサブモジュールとして実施され得る。
【００９２】
[0102]共存マネージャ５０５−ｂ、リソース固有軽減モジュール７２０−ｂ、および復号モジュール７２５−ｂは、図５、図７、および／または図８を参照して上で説明された共存マネージャ５０５と、リソース固有軽減モジュール７２０と、復号モジュール７２５との１つまたは複数の態様の例とされ得る。共存マネージャ５０５−ｂは、第２のトランシーバ８２５−ａの同時送信（または受信）によって引き起こされる共存干渉を受けるトランシーバ７１０−ｂによって受信された信号の時間周波数リソースを識別することができる。リソース固有軽減モジュール７２０−ｂは、時間周波数リソースおよび／または共存マネージャ５０５−ｂによって識別された干渉された時間周波数リソースに対応するＬＬＲにリソース固有軽減を適用することができる。復号モジュール７２５−ｂは、１つまたは複数のＨＡＲＱ手順を実施するために、受信された信号を復号し、および／または受信された信号に対応するＬＬＲのソフトコンバイニングを行うことができる。簡潔さのために、これらのコンポーネントは、ここでより詳細には説明されない。
【００９３】
[0103]いくつかの態様で、各トランシーバ７１０−ｂ、８２５−ａは、送信のために、パケットを変調し、アンテナ９１０、９２０に変調されたパケットを提供し、アンテナ９１０、９２０から受け取られたパケットを復調するように構成されたモデムを含むことができる。いくつかの態様で、復号モジュール７２５−ｂは、本明細書で説明される技法を使用可能にするために、トランシーバ７１０−ｂ内で実施され得る。他の場合に、図示されているように、復号モジュール７２５−ｂは、別々のコンポーネントフォームトランシーバ７１０−ｂとされ得る。
【００９４】
[0104]図１０は、基地局１０５−ｅとＵＥ  １１５−ｅとを含むＭＩＭＯ通信システム１０００のブロック図である。このシステム１０００は、図１のシステム１００および／または図２のシステム２００の諸態様を示すことができる。基地局１０５−ｅは、アンテナ１０３４−ａから１０３４−ｘを備えることができ、ＵＥ  １１５−ｅは、アンテナ１０５２−ａから１０５２−ｎを備えることができる。システム１０００では、基地局１０５−ｅは、同時に複数の通信リンクを介してデータを送ることができる場合がある。各通信リンクは、「レイヤ」と呼ばれる場合があり、通信リンクの「ランク」は、通信に使用されるレイヤの個数を示すことができる。たとえば、基地局１０５−ｅが２つの「レイヤ」を送信する２ｘ２  ＭＩＭＯシステムでは、基地局１０５−ｅとＵＥ  １１５−ｅとの間の通信リンクのランクは２である。
【００９５】
[0105]基地局１０５−ｅでは、送信プロセッサ１０２０は、データソースからデータを受け取ることができる。送信プロセッサ１０２０は、データを処理することができる。送信プロセッサ１０２０は、基準シンボルを生成することもできる。送信（ＴＸ）ＭＩＭＯプロセッサ１０３０は、適用可能な場合に、データシンボル、制御シンボル、および／または基準シンボルに対して空間処理（たとえば、プリコーディング）を実行することができ、送信変調器１０３２−ａから１０３２−ｘに出力シンボルストリームを供給することができる。各変調器１０３２は、出力サンプルストリームを入手するためにそれぞれの出力シンボルストリームを処理することができる（たとえば、ＯＦＤＭに関してなど）。各変調器１０３２は、ダウンリンク（ＤＬ）信号を入手するために、出力サンプルストリームをさらに処理する（たとえば、アナログに変換し、増幅し、フィルタリングし、およびアップコンバートする）ことができる。一例では、変調器１０３２−ａから１０３２−ｘからのＤＬ信号は、それぞれアンテナ１０３４−ａから１０３４−ｘを介して送信され得る。
【００９６】
[0106]ＵＥ  １１５−ｅでは、ＵＥアンテナ１０５２−ａから１０５２−ｎが、基地局１０５−ｅからＤＬ信号を受信することができ、受信された信号をそれぞれ復調器１０５４−ａから１０５４−ｎに供給することができる。各復調器１０５４は、入力サンプルを入手するために、それぞれの受信された信号を条件付ける（たとえば、フィルタリングし、増幅し、ダウンコンバートし、およびデジタル化する）ことができる。各復調器１０５４は、受信されたシンボルを入手するために、入力サンプルをさらに処理することができる（たとえば、ＯＦＤＭに関してなど）。ＭＩＭＯ検出器１０５６は、すべての復調器１０５４−ａから１０５４−ｎから受信されたシンボルを入手し、適用可能な場合に受信されたシンボルに対してＭＩＭＯ検出を実行し、検出されたシンボルを供給することができる。受信プロセッサ１０５８は、検出されたシンボルを処理し（たとえば、復調し、デインターリーブし、および復号し）、ＵＥ  １１５−ｅについて復号されたデータをデータ出力に供給し、復号された制御情報をプロセッサ１０８０、またはメモリ１０８２に供給することができる。プロセッサ１０８０は、リソース固有干渉軽減モジュール１０８１を含むことができる。リソース固有干渉軽減モジュール１０８１は、前の図面を参照して説明されたリソース固有軽減モジュール７２０、共存マネージャ５０５、時間周波数リソース識別モジュール７１５、および／または復号モジュール７２５の諸態様の例とされ得る。ＵＥ  １１５−ｅが、復号すべきトランスポートブロックの送信または再送信を受信する時に、リソース固有干渉軽減モジュール１０８１は、前の図面を参照して上で説明されたように、異なる無線アクセス技術を実施するＵＥ  １１５−ｅの別のトランシーバによって引き起こされる干渉を軽減するために、リソース固有干渉軽減を適用することができる。
【００９７】
[0107]アップリンク（ＵＬ）上で、ＵＥ  １１５−ｅにおいて、送信プロセッサ１０６４が、データソースからデータを受け取り、処理することができる。送信プロセッサ１０６４は、基準信号の基準シンボルを生成することもできる。送信プロセッサ１０６４からのシンボルは、適用可能な場合に送信ＭＩＭＯプロセッサ１０６６によってプリコーディングされ、復調器１０５４−ａから１０５４−ｎによってさらに処理され（たとえば、ＳＣ−ＦＤＭＡに関してなど）、基地局１０５−ｅから受信された送信パラメータに従って基地局１０５−ｅに送信され得る。基地局１０５−ｅでは、ＵＥ  １１５−ｅからのＵＬ信号が、アンテナ１０３４によって受信され、変調器１０３２によって処理され、適用可能な場合にＭＩＭＯ検出器１０３６によって検出され、受信プロセッサ１０３８によってさらに処理され得る。受信プロセッサ１０３８は、復号されたデータをデータ出力とプロセッサ１０４０またはメモリ１０４２とに供給することができる。プロセッサ１０４０は、リソース固有干渉軽減モジュール１０４１を含むことができる。リソース固有干渉軽減モジュール１０４１は、前の図面を参照して説明されたリソース固有軽減モジュール７２０、共存マネージャ５０５、時間周波数リソース識別モジュール７１５、および／または復号モジュール７２５の諸態様の例とされ得る。基地局１０５−ｅが、復号すべきトランスポートブロックの送信または再送信を受信する時に、リソース固有干渉軽減モジュール１０４１は、前の図面を参照して上で説明されたように、異なる無線アクセス技術を実施する基地局１０５−ｅの別のトランシーバによって引き起こされる干渉を軽減するために、リソース固有干渉軽減を適用することができる。
【００９８】
[0108]ＵＥ  １１５−ｅのコンポーネントは、個別にまたは集合的に、適用可能な機能の一部またはすべてをハードウェア内で実行するように適合された１つまたは複数の特定用途向け集積回路（ＡＳＩＣ）を用いて実装され得る。言及されたモジュールのそれぞれは、システム１０００の動作に関する１つまたは複数の機能を実行するための手段とされ得る。同様に、基地局１０５−ｅのコンポーネントは、個別にまたは集合的に、適用可能な機能の一部またはすべてをハードウェア内で実行するように適合された１つまたは複数の特定用途向け集積回路（ＡＳＩＣ）を用いて実装され得る。言及されたモジュールのそれぞれは、システム１０００の動作に関する１つまたは複数の機能を実行するための手段とされ得る。
【００９９】
[0109]図１１は、様々な実施形態による、デバイス内共存干渉を受ける識別された時間周波数リソースにリソース固有干渉軽減を適用する方法１１００の一例を示す流れ図である。明瞭さのために、方法１１００は、下で、前の図面を参照して説明されたＵＥ  １１５および／またはデバイス７０５（または基地局１０５）の１つまたは複数の態様を参照して説明される。いくつかの実施形態では、ＵＥ  １１５またはデバイス７０５のうちの１つなどのデバイスは、下で説明される機能を実行するようにＵＥ  １１５またはデバイス７０５の機能要素を制御するためにコードの１つまたは複数のステップを実行することができる。
【０１００】
[0110]ブロック１１０５では、前の図面のデバイス７０５（ＵＥ  １１５または基地局１０５内で実施され得る）が、デバイス７０５の第１のトランシーバを介して信号（たとえば、ＯＦＤＭ信号）を受信することができる。受信された信号は、たとえば別の無線アクセス技術を介してメッセージを同時に送信しまたは受信しつつある、デバイス７０５の別のトランシーバからの共存干渉を経験する場合がある。
【０１０１】
[0111]ブロック１１１０では、デバイス７０５が、共存干渉を受ける受信された信号の時間周波数リソースを識別することができる。干渉された時間周波数リソースの識別は、前の図面を参照して上で説明されたように、たとえば、デバイス７０５のトランシーバ２０５、５１０、７１０／受信機６０５、共存マネージャ５０５、またはデバイス７０５の時間周波数リソース識別モジュール７１５によって実行され得る。識別は、受信された送信の基準信号を比較すること（たとえば、図４を参照して説明されたＣＲＳ）または、たとえば図５を参照して説明されたように、たとえば共存マネージャ５０５を介して、干渉するトランシーバから情報を入手することを含むことができる。いくつかの場合に、干渉されたリソースの識別／リソース競合の決定は、事前に決定された無線周波数非線形性の干渉カーネルに少なくとも部分的に基づくものとされ得る。
【０１０２】
[0112]ブロック１１１５では、デバイス７０５が、識別された時間周波数リソースに少なくとも部分的に基づいて、受信された信号の復号動作中に受信された信号に関するリソース固有軽減アクションを適用することができる。リソース固有軽減アクションは、干渉された時間周波数リソースをスキップしまたはヌルにすること、および／または識別された干渉されたリソースに対応する、復号プロセスによって生成されたＬＬＲをスキップしまたはヌルにすることを含むことができる。いくつかの実施態様では、復号器６１０／復号モジュール７２５またはリソース固有軽減モジュール７２０が、干渉されたリソースまたは対応するＬＬＲにリソース固有干渉軽減を適用することができる。
【０１０３】
[0113]ブロック１１２０では、デバイス７０５が、復号またはソフトコーミングプロセスが失敗したかどうかを決定することができる。これは、たとえば復号モジュール７２５および／または前の図面を参照して説明されたソフトコーミング／ＨＡＲＱモジュールによって実行され得る。決定は、復号された信号を１つまたは複数の信号しきい値もしくは信頼しきい値と比較することまたはＬＬＲをＬＬＲ信頼しきい値と比較することを含むことができる。デバイス７０５が、復号が失敗を有すると決定する場合には、デバイスは、送出するデバイス（たとえば、基地局１０５）による再送信を要求するために、ブロック１１２５でＮＡＣＫを送信することができる。その後、方法１１００は、ブロック１１０５でもう一度開始し、ブロック１１２０で復号プロセスが成功であると決定されるまで繰り返し続けることができ、成功と決定される時に、この方法は１１３０で終了することができる。
【０１０４】
[0114]したがって、方法１１００は、ワイヤレスデバイスによる共存干渉軽減を提供することができる。方法１１００が、１つの例の実施態様であり、方法１１００の動作が、他の実施態様が可能になるように再配置されまたは他の形で変更され得ることに留意されたい。
【０１０５】
[0115]図１２は、様々な実施形態による、デバイス内共存干渉を受ける識別された時間周波数リソースにリソース固有干渉軽減を適用する方法１２００の別の例を示す流れ図である。明瞭さのために、方法１２００は、下で、前の図面を参照して説明されたＵＥ  １１５および／またはデバイス７０５（または基地局１０５）の１つまたは複数の態様を参照して説明される。いくつかの実施形態では、ＵＥ  １１５またはデバイス７０５のうちの１つなどのデバイスは、下で説明される機能を実行するようにＵＥ  １１５またはデバイス７０５の機能要素を制御するためにコードの１つまたは複数のステップを実行することができる。
【０１０６】
[0116]ブロック１２０５では、前の図面のデバイス７０５（ＵＥ  １１５を指すこともできる）が、デバイス７０５の第１のトランシーバを介して信号（たとえば、ＯＦＤＭ信号）を受信することができる。受信された信号は、たとえば別の無線アクセス技術を介してメッセージを同時に送信しまたは受信しつつある、デバイス７０５の別のトランシーバからの共存干渉を経験する場合がある。
【０１０７】
[0117]ブロック１２１０では、デバイス７０５が、共存干渉を受ける受信された信号の時間周波数リソースを識別することができる。干渉された時間周波数リソースの識別は、前の図面を参照して上で説明されたように、たとえば、デバイス７０５のトランシーバ２０５、５１０、７１０／受信機６０５、共存マネージャ５０５、またはデバイス７０５の時間周波数リソース識別モジュール７１５によって実行され得る。識別は、受信された送信の基準信号を比較すること、または、たとえば図４と図５とを参照して説明されたように、共存マネージャ５０５を介して干渉するトランシーバから情報を入手することを含むことができる。
【０１０８】
[0118]ブロック１２１５では、デバイス７０５は、共存干渉を有すると識別された受信された信号の１つまたは複数の受信されたシンボルをスキップしまたはヌルにすることができる。１つまたは複数の受信されたシンボルをヌルにすることは、受信された信号のシンボル期間、スロット、サブフレーム、コードブロック、または副搬送波のうちの少なくとも１つにデフォルト値または例０をセットすることを含むことができる。干渉された時間周波数リソースをヌルにすることは、たとえば受信された信号のパリティビットなどを使用するよりよい誤り訂正を可能にすることができ、一般に、上でより詳細に説明されたように、復号プロセスを改善することができる。その後、スキップされまたはヌルにされたリソースは、ブロック１２２０で復号動作に入力され得る。いくつかの実施態様では、復号器６１０もしくは復号モジュール７２５またはリソース固有軽減モジュール７２０が、１２２０で復号動作を実行することができる。
【０１０９】
[0119]ブロック１２２５では、デバイス７０５が、復号またはソフトコンバイニングプロセスが失敗したかどうかを決定することができる。デバイス７０５が、復号が失敗したと決定する場合には、デバイスは、送出するデバイス（たとえば、基地局１０５）による再送信を要求するために、ブロック１２３０でＮＡＣＫを送信することができる。その後、方法１２００は、ブロック１２０５でもう一度開始し、ブロック１２３０で復号プロセスが成功であると決定されるまで繰り返し続けることができ、成功と決定される時に、この方法は１２３５で終了することができる（たとえば、復号されたトランスポートブロックまたはコードブロックを上位レイヤに送ることと、ＡＣＫ信号を送ることとなどによって）。
【０１１０】
[0120]したがって、方法１２００は、ワイヤレスデバイスによって受信された干渉されたリソースをヌルにしまたはスキップすることによる共存干渉軽減を提供することができる。方法１２００が、１つの実施態様に過ぎず、方法１２００の動作が、他の実施態様が可能になるように再配置されまたは他の形で変更され得ることに留意されたい。
【０１１１】
[0121]図１３は、様々な実施形態による、デバイス内共存干渉を受ける識別された時間周波数リソースにリソース固有干渉軽減を適用する方法１３００の別の例を示す流れ図である。明瞭さのために、方法１３００は、下で、前の図面を参照して説明されたＵＥ  １１５および／またはデバイス７０５（または基地局１０５）の１つまたは複数の態様を参照して説明される。いくつかの実施形態では、ＵＥ  １１５またはデバイス７０５のうちの１つなどのデバイスは、下で説明される機能を実行するようにＵＥ  １１５またはデバイス７０５の機能要素を制御するためにコードの１つまたは複数のステップを実行することができる。
【０１１２】
[0122]ブロック１３０５では、前の図面のデバイス７０５（ＵＥ  １１５を指すこともできる）が、デバイス７０５の第１のトランシーバを介して信号（たとえば、ＯＦＤＭ信号）を受信することができる。受信された信号は、たとえば別の無線アクセス技術を介してメッセージを同時に送信しまたは受信しつつある、デバイス７０５の別のトランシーバからの共存干渉を経験する場合がある。
【０１１３】
[0123]ブロック１３１０では、デバイス７０５が、共存干渉を受ける受信された信号の時間周波数リソースを識別することができる。干渉された時間周波数リソースの識別は、前の図面を参照して上で説明されたように、たとえば、デバイス７０５のトランシーバ２０５、５１０、７１０／受信機６０５、共存マネージャ５０５、またはデバイス７０５の時間周波数リソース識別モジュール７１５によって実行され得る。識別は、受信された送信の基準信号を比較すること、または、たとえば図４と図５とを参照して説明されたように、共存マネージャ５０５を介して干渉するトランシーバから情報を入手することを含むことができる。
【０１１４】
[0124]ブロック１３１５では、デバイス７０５が、干渉された時間周波数リソースをデバイス７０５の復号器からのＬＬＲ出力にマッピングすることができる。いくつかの実施形態では、リソース固有軽減モジュール７２０が、前の図面を参照して説明された復号器６１０／復号モジュール７２５から受け取られたＬＬＲのマッピングを実行することできる。
【０１１５】
[0125]ブロック１３２０では、デバイス７０５が、ＬＬＲをソフトコンバイニングプロセスに、たとえば図８を参照して説明されたソフトコンバイニング／ＨＡＲＱモジュール８２０に送る前に、干渉された時間周波数リソースから、対応する（たとえば、マッピングされた）１つまたは複数のＬＬＲをスキップしまたはヌルにすることができる。このシナリオでは、干渉されたＬＬＲのスキップは、受信された信号の復号／ソフトコーミングプロセスでの誤り伝搬を減らし／除去することができる。これは、デバイス７０５のよりよい受信性能を提供することができ、高められたスループットをもたらすことができる。
【０１１６】
[0126]ブロック１３２５では、デバイス７０５が、ソフトコンバイニングプロセスが失敗したかどうかを決定することができる。デバイス７０５が、復号が失敗を有すると決定する場合には、デバイスは、送出するデバイス（たとえば、基地局１０５）による再送信を要求するために、ブロック１３３０でＮＡＣＫを送信することができる。その後、方法１３００は、ブロック１３０５でもう一度開始し、ブロック１３２５でソフトコンバイニングプロセスが成功であると決定されるまで繰り返し続けることができ、成功と決定される時に、この方法は１３３５で終了することができ、成功裡に復号されたメッセージまたはコードブロックは、上位レイヤに渡され得、ＡＣＫメッセージが生成され得る。
【０１１７】
[0127]したがって、方法１３００は、ワイヤレスデバイスによって干渉されたリソースに対応するＬＬＲをスキップすることによる共存干渉軽減を提供することができる。方法１３００が、１つの実施態様に過ぎず、方法１３００の動作が、他の実施態様が可能になるように再配置されまたは他の形で変更され得ることに留意されたい。
【０１１８】
[0128]添付図面に関連して上で示された詳細な説明は、例示的な実施形態を説明するものであって、実施され得るまたは特許請求の範囲の範囲内の実施形態のみを表すものではない。この説明全体を通じて使用される用語「例示的な」は、「例、実例、または例証として働く」を意味し、「好ましい」または「他の実施形態より有利な」を意味しない。詳細な説明は、説明される技法の理解を提供するために特定の詳細を含む。しかし、これらの技法は、これらの特定の詳細なしで実践され得る。いくつかの場合に、周知の構造およびデバイスは、説明される実施形態の概念を不明瞭にすることを避けるために、ブロック図形式で示される。
【０１１９】
[0129]情報および信号は、様々な異なる技術と技法とのいずれかを使用して表され得る。たとえば、上の説明全体を通じて参照され得るデータ、命令、コマンド、情報、信号、ビット、シンボル、およびチップは、電圧、電流、電磁波、磁場もしくは磁性粒子、光場もしくは光粒子、またはその任意の組合せによって表され得る。
【０１２０】
[0130]本明細書の開示に関連して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラム可能論理デバイス、ディスクリートゲート論理もしくはトランジスタ論理、ディスクリートハードウェアコンポーネント、または本明細書で説明される機能を実行するように設計されたそれらの任意の組合せを用いて実施されまたは実行され得る。汎用プロセッサは、マイクロプロセッサとされ得るが、代替案では、プロセッサは、従来のプロセッサ、コントローラ、マイクロコントローラ、または状態機械とされ得る。プロセッサは、コンピューティングデバイスの組合せ、たとえば、ＤＳＰとマイクロプロセッサとの組合せ、複数のマイクロプロセッサ、ＤＳＰコアに関連する１つまたは複数のマイクロプロセッサ、または任意の他のそのような構成としても実施され得る。
【０１２１】
[0131]本明細書で説明される機能は、ハードウェア、プロセッサによって実行されるソフトウェア、ファームウェア、またはその任意の組合せで実施され得る。プロセッサによって実行されるソフトウェアで実施される場合に、機能は、１つまたは複数の命令またはコードとしてコンピュータ可読媒体上に記憶されまたはコンピュータ可読媒体を介して送信され得る。他の例および実施態様は、本開示および添付された特許請求の範囲の範囲および趣旨に含まれる。たとえば、ソフトウェアの性質に起因して、上で説明された機能は、プロセッサ、ハードウェア、ファームウェア、ハードワイヤリング、またはこれらのうちのいずれかの組合せによって実行されるソフトウェアを使用して実施され得る。機能を実施する特徴は、機能の諸部分が異なる物理的位置で実施されるように分散されることを含めて、様々な位置に物理的に配置されることも可能である。また、請求項内を含めて本明細書で使用される時に、項目のリスト（たとえば、「ａｔ  ｌｅａｓｔ  ｏｎｅ  ｏｆ（のうちの少なくとも１つの）」または「ｏｎｅ  ｏｒ  ｍｏｒｅ  ｏｆ（のうちの１つまたは複数）」などの句が前に置かれた項目のリスト）内で使用される「ｏｒ（または）」は、たとえば、「ａｔ  ｌｅａｓｔ  ｏｎｅ  ｏｆ  Ａ，  Ｂ，  ｏｒ  Ｃ（Ａ、Ｂ、またはＣのうちの少なくとも１つ）」が、ＡまたはＢまたはＣまたはＡＢまたはＡＣまたはＢＣまたはＡＢＣ（すなわちＡとＢとＣと）を意味するようになる、離接的リストを示す。
【０１２２】
[0132]コンピュータ可読媒体は、コンピュータ記憶媒体と、ある場所から別の場所へのコンピュータプログラムの転送を容易にするすべての媒体を含む通信媒体との両方を含む。記憶媒体は、汎用コンピュータまたは特殊目的コンピュータによってアクセスされ得るすべての使用可能な媒体とされ得る。限定ではなく例として、コンピュータ可読媒体は、ＲＡＭ、ＲＯＭ、ＥＥＰＲＯＭ（登録商標）、ＣＤ−ＲＯＭもしくは他の光ディスク（disk）ストレージ、磁気ディスク（disk）ストレージもしくは他の磁気ストレージデバイス、または、命令もしくはデータ構造の形で所望のプログラムコード手段を担持しまたは記憶するのに使用され得、汎用コンピュータもしくは特殊目的コンピュータまたは汎用プロセッサもしくは特殊目的プロセッサによってアクセスされ得る任意の他の媒体を備えることができる。また、すべての接続は、当然、コンピュータ可読媒体と呼ばれる。たとえば、ソフトウェアが、ウェブサイト、サーバ、または他のリモートソースから同軸ケーブル、光ファイバケーブル、より対線、デジタル加入者回線（ＤＳＬ）、または赤外線、無線、およびマイクロ波などのワイヤレス技術を使用して送信される場合に、同軸ケーブル、光ファイバケーブル、より対線、ＤＳＬ、または赤外線、ラジオ、およびマイクロ波などのワイヤレス技術は、媒体の定義に含まれる。ディスク（ｄｉｓｋおよびｄｉｓｃ）は、本明細書で使用される時に、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ｄｉｓｋは、通常はデータを磁気的に再生し、ｄｉｓｃは、レーザを用いてデータを光学的に再生する。上記の組合せも、コンピュータ可読媒体の範囲内に含まれる。
【０１２３】
[0133]本開示の前の説明は、当業者が本開示を作成しまたは使用することを可能にするために提供される。本開示への様々な修正は、当業者には容易に明らかになり、本明細書で定義される一般原理は、本開示の範囲から逸脱することなく他の変形形態に適用され得る。本開示全体を通じて、用語「例」または「例示的」は、例または実例を示し、記載の実施例に対する何らかの選好を含意しまたは要求するものではない。したがって、本開示は、本明細書で説明された例および設計に限定されるべきではなく、本明細書で開示される原理および新規な特徴と一貫する最も広い範囲が与えられるべきである。
【図１】
2017526314.tif 000003
【図２】
2017526314.tif 000004
【図３】
2017526314.tif 000005
【図４】
2017526314.tif 000006
【図５】
2017526314.tif 000007
【図６Ａ】
2017526314.tif 000008
【図６Ｂ】
2017526314.tif 000009
【図７】
2017526314.tif 000010
【図８】
2017526314.tif 000011
【図９】
2017526314.tif 000012
【図１０】
2017526314.tif 000013
【図１１】
2017526314.tif 000014
【図１２】
2017526314.tif 000015
【図１３】
2017526314.tif 000016
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
複数のトランシーバを備えるワイヤレスデバイスの第１のトランシーバを介して信号を受信することと、
共存干渉を受ける前記受信された信号の干渉された時間周波数リソースを識別することと、
復号された出力を入手するために前記受信された信号の復号動作を実行することと、ここにおいて、前記復号動作を前記実行することは、前記識別された干渉された時間周波数リソースに少なくとも部分的に基づいて、前記復号動作の入力にリソース固有軽減を適用することを備える、
を備える、ワイヤレス通信の方法。
【請求項２】
前記リソース固有軽減を前記適用することは、
前記受信された信号のシンボル期間、スロット、サブフレーム、コードブロック、または副搬送波の少なくとも一部に関して前記受信された信号のサンプルをヌルにすることと、
前記ヌルにされたサンプルを前記復号動作に入力することと
を備える、請求項１に記載の方法。
【請求項３】
前記受信された信号の前記サンプルを前記ヌルにすることは、前記受信された信号の少なくとも１つのサンプルをデフォルト値にセットすることを備える、請求項２に記載の方法。
【請求項４】
前記識別された干渉された時間周波数リソースは、コードブロックの複数の送信からの送信に関連し、ここにおいて、前記複数の送信のうちの少なくとも１つが、前記コードブロックの再送信を備え、
前記リソース固有軽減を前記適用することは、前記復号動作中に前記送信の復号をスキップすることを備える
請求項１に記載の方法。
【請求項５】
前記識別された干渉された時間周波数リソースは、複数の送信からの送信に関連し、ここにおいて、前記複数の送信のうちの少なくとも１つが、コードブロックの再送信に関連し、
前記リソース固有軽減を前記適用することは、前記復号動作中に入手された少なくとも１つの対数尤度比（ＬＬＲ）インスタンスをスキップしまたはヌルにすることを備える
請求項１に記載の方法。
【請求項６】
前記復号動作中に前記複数の送信からのＬＬＲインスタンスの複数のセットをソフトコンバイニングすること
をさらに備える、請求項５に記載の方法。
【請求項７】
前記識別された干渉された時間周波数リソースに基づいて、前記少なくとも１つのスキップされまたはヌルにされるＬＬＲインスタンスを決定すること
をさらに備える、請求項５に記載の方法。
【請求項８】
前記第１のトランシーバは、第１の無線アクセス技術に関連し、ここにおいて、前記共存干渉が、前記複数のトランシーバのうちの第２の無線アクセス技術に関連する第２のトランシーバから生じる、請求項１に記載の方法。
【請求項９】
前記干渉された時間周波数リソースを識別することは、
前記第２のトランシーバから、アクティブな送信または受信に関連する情報を受け取ることと、
前記受け取られた情報に少なくとも部分的に基づいて、前記干渉された時間周波数リソースのリソース競合を決定することと
を備える、請求項８に記載の方法。
【請求項１０】
前記干渉された時間周波数リソースを識別することは、
前記受信された信号に関連する第１のセル固有基準（ＣＲＳ）信号の第１の電力レベルと前記受信された信号に関連する第２のＣＲＳ信号の第２の電力レベルとを入手することと、
前記第１の電力レベルと前記第２の電力レベルとを比較することと、
前記第１の電力レベルと前記第２の電力レベルとの前記比較に基づいて前記干渉された時間周波数リソースを決定することと
を備える、請求項１に記載の方法。
【請求項１１】
複数のトランシーバを備えるワイヤレスデバイスの第１のトランシーバを介して信号を受信するための手段と、
共存干渉を受ける前記受信された信号の干渉された時間周波数リソースを識別するための手段と、
前記識別された干渉された時間周波数リソースに少なくとも部分的に基づいて、復号動作の入力にリソース固有軽減を適用することによって復号された出力を入手するために前記受信された信号の前記復号動作を実行するための手段と
を備える、ワイヤレス通信のための装置。
【請求項１２】
前記リソース固有軽減を適用するための前記手段は、
前記受信された信号のシンボル期間、スロット、サブフレーム、コードブロック、または副搬送波の少なくとも一部に関して前記受信された信号のサンプルをヌルにするための手段と、
前記ヌルにされたサンプルを前記復号動作に入力するための手段と
を備える、請求項１１に記載の装置。
【請求項１３】
前記識別された干渉された時間周波数リソースは、コードブロックの複数の送信からの送信に関連し、ここにおいて、前記複数の送信のうちの少なくとも１つが前記コードブロックの再送信を備え、
前記リソース固有軽減を適用するための前記手段は、前記復号動作中に前記送信の復号をスキップするための手段を備える
請求項１１に記載の装置。
【請求項１４】
前記識別された干渉された時間周波数リソースは、複数の送信からの送信に関連し、ここにおいて、前記複数の送信のうちの少なくとも１つが、コードブロックの再送信に関連し、
前記リソース固有軽減を適用するための前記手段は、前記復号動作中に入手された少なくとも１つの対数尤度比（ＬＬＲ）インスタンスをスキップしまたはヌルにするための手段を備える
請求項１１に記載の装置。
【請求項１５】
前記第１のトランシーバは、第１の無線アクセス技術に関連し、
前記共存干渉は、前記複数のトランシーバのうちの第２の無線アクセス技術に関連する第２のトランシーバから生じ、
前記干渉された時間周波数リソースを識別するための前記手段は、
前記第２のトランシーバから、アクティブな送信または受信に関連する情報を受け取るための手段と、
前記受け取られた情報に少なくとも部分的に基づいて、前記干渉された時間周波数リソースのリソース競合を決定するための手段と
を備える、請求項１１に記載の装置。
【請求項１６】
前記干渉された時間周波数リソースを識別するための手段は、
前記受信された信号に関連する第１のセル固有基準（ＣＲＳ）信号の第１の電力レベルと前記受信された信号に関連する第２のＣＲＳ信号の第２の電力レベルとを入手するための手段と、
前記第１の電力レベルと前記第２の電力レベルとを比較するための手段と、
前記第１の電力レベルと前記第２の電力レベルとの前記比較に基づいて前記干渉された時間周波数リソースを決定するための手段と
を備える、請求項１１に記載の装置。
【請求項１７】
メモリと、
前記メモリに結合された少なくとも１つのプロセッサとを備え、前記少なくとも１つのプロセッサは、
複数のトランシーバを備えるワイヤレスデバイスの第１のトランシーバを介して信号を受信することと、
共存干渉を受ける前記受信された信号の干渉された時間周波数リソースを識別することと、
前記識別された干渉された時間周波数リソースに少なくとも部分的に基づいて、復号動作の入力にリソース固有軽減を適用することによって復号された出力を入手するために前記受信された信号の前記復号動作を実行することと
を行うように構成される、ワイヤレス通信デバイス。
【請求項１８】
前記プロセッサは、
前記受信された信号のシンボル期間、スロット、サブフレーム、コードブロック、または副搬送波の少なくとも一部に関して前記受信された信号のサンプルをヌルにし、
前記ヌルにされたサンプルを前記復号動作に入力する
ようにさらに構成される、請求項１７に記載のワイヤレス通信デバイス。
【請求項１９】
前記識別された干渉された時間周波数リソースは、コードブロックの複数の送信からの送信に関連し、ここにおいて、前記複数の送信のうちの少なくとも１つが、前記コードブロックの再送信を備え、ここにおいて、前記プロセッサが、前記復号動作中に前記送信の復号をスキップするようにさらに構成される、請求項１７に記載のワイヤレス通信デバイス。
【請求項２０】
前記識別された干渉された時間周波数リソースは、複数の送信からの送信に関連し、ここにおいて、前記複数の送信のうちの少なくとも１つが、コードブロックの再送信に関連し、
前記プロセッサは、前記復号動作中に入手された少なくとも１つの対数尤度比（ＬＬＲ）インスタンスをスキップしまたはヌルにするようにさらに構成される
請求項１７に記載のワイヤレス通信デバイス。
【請求項２１】
前記第１のトランシーバは、第１の無線アクセス技術に関連し、
前記共存干渉は、前記複数のトランシーバのうちの第２の無線アクセス技術に関連する第２のトランシーバから生じ、
前記プロセッサは、
前記第２のトランシーバから、アクティブな送信または受信に関連する情報を受け取り、
前記受け取られた情報に少なくとも部分的に基づいて、前記干渉された時間周波数リソースのリソース競合を決定する
ようにさらに構成される、請求項１７に記載のワイヤレス通信デバイス。
【請求項２２】
前記プロセッサは、
前記受信された信号に関連する第１のセル固有基準（ＣＲＳ）信号の第１の電力レベルと前記受信された信号に関連する第２のＣＲＳ信号の第２の電力レベルとを入手し、
前記第１の電力レベルと前記第２の電力レベルとを比較し、
前記第１の電力レベルと前記第２の電力レベルとの前記比較に基づいて前記干渉された時間周波数リソースを決定する
ようにさらに構成される、請求項１７に記載のワイヤレス通信デバイス。
【請求項２３】
ワイヤレス通信デバイス上で動作可能であり、非一時的コンピュータ可読媒体上に記憶され、命令を備える、コンピュータプログラム製品であって、前記命令は、
複数のトランシーバを備えるワイヤレスデバイスの第１のトランシーバを介して信号を受信することと、
共存干渉を受ける前記受信された信号の干渉された時間周波数リソースを識別することと、
前記識別された干渉された時間周波数リソースに少なくとも部分的に基づいて、前記受信された信号の復号動作の入力にリソース固有軽減を適用することによって復号された出力を入手するために前記受信された信号の前記復号動作を実行することと
を行うためにプロセッサによって実行可能である、コンピュータプログラム製品。
【請求項２４】
前記命令は、
前記受信された信号のシンボル期間、スロット、サブフレーム、コードブロック、または副搬送波の少なくとも一部に関して前記受信された信号のサンプルをヌルにし、
前記ヌルにされたサンプルを前記復号動作に入力する
ために前記プロセッサによって実行可能である、請求項２３に記載のコンピュータプログラム製品。
【請求項２５】
前記識別された干渉された時間周波数リソースは、コードブロックの複数の送信からの送信に関連し、ここにおいて、前記複数の送信のうちの少なくとも１つが、前記コードブロックの再送信を備え、ここにおいて、前記命令が、
前記復号動作中に前記送信の復号をスキップする
ために前記プロセッサによって実行可能である、請求項２３に記載のコンピュータプログラム製品。
【請求項２６】
前記識別された干渉された時間周波数リソースは、複数の送信からの送信に関連し、ここにおいて、前記複数の送信のうちの少なくとも１つが、コードブロックの再送信に関連し、ここにおいて、前記命令が、
前記復号動作中に入手された少なくとも１つの対数尤度比（ＬＬＲ）インスタンスをスキップしまたはヌルにする
ために前記プロセッサによって実行可能である、請求項２３に記載のコンピュータプログラム製品。
【手続補正２】
【補正対象書類名】明細書
【補正対象項目名】０１２３
【補正方法】変更
【補正の内容】
【０１２３】
[0133]本開示の前の説明は、当業者が本開示を作成しまたは使用することを可能にするために提供される。本開示への様々な修正は、当業者には容易に明らかになり、本明細書で定義される一般原理は、本開示の範囲から逸脱することなく他の変形形態に適用され得る。本開示全体を通じて、用語「例」または「例示的」は、例または実例を示し、記載の実施例に対する何らかの選好を含意しまたは要求するものではない。したがって、本開示は、本明細書で説明された例および設計に限定されるべきではなく、本明細書で開示される原理および新規な特徴と一貫する最も広い範囲が与えられるべきである。
以下に、本願出願の当初の特許請求の範囲に記載された発明を付記する。
［Ｃ１］
複数のトランシーバを備えるワイヤレスデバイスの第１のトランシーバを介して信号を受信することと、
干渉された時間周波数リソースを識別することと、前記干渉された時間周波数リソースが、共存干渉を受ける前記受信された信号の時間周波数リソースである、
前記干渉された時間周波数リソースに少なくとも部分的に基づいて、前記受信された信号の復号動作中に前記受信された信号に関するリソース固有軽減アクションを適用することと
を備える、ワイヤレス通信の方法。
［Ｃ２］
前記リソース固有軽減アクションを適用することは、
前記受信された信号のシンボル期間、スロット、サブフレーム、コードブロック、または副搬送波の少なくとも一部に関して前記受信された信号のサンプルをヌルにすることと、
前記ヌルにされたサンプルを前記復号動作に入力することと
を備える、Ｃ１に記載の方法。
［Ｃ３］
前記受信された信号の受信されたシンボルをヌルにすることは、前記受信されたシンボルにデフォルト値をセットすることを備える、Ｃ２に記載の方法。
［Ｃ４］
前記リソース固有軽減アクションを適用することは、
前記受信された信号のシンボル期間、スロット、サブフレーム、コードブロック、または副搬送波の少なくとも一部に関して前記受信された信号のサンプルの前記復号動作をスキップすること
を備える、Ｃ１に記載の方法。
［Ｃ５］
前記干渉された時間周波数リソースは、複数の送信の中からの送信に関連し、ここにおいて、前記複数の送信が、コードブロックに関連し、
前記リソース固有軽減アクションを適用することは、前記復号動作中に前記送信の復号をスキップすることを備える
Ｃ１に記載の方法。
［Ｃ６］
前記干渉された時間周波数リソースは、複数の送信の中からの送信に関連し、ここにおいて、前記複数の送信が、コードブロックに関連し、
前記リソース固有軽減アクションを適用することは、前記復号動作中に前記送信の復号された出力に対応する少なくとも１つの対数尤度比（ＬＬＲ）インスタンスをスキップしまたはヌルにすることを備える
Ｃ１に記載の方法。
［Ｃ７］
前記復号動作中に前記複数の送信からのＬＬＲインスタンスの複数のセットをソフトコンバイニングすること
をさらに備える、Ｃ６に記載の方法。
［Ｃ８］
前記干渉された時間周波数リソースに基づいて、前記少なくとも１つのスキップされまたはヌルにされるＬＬＲインスタンスを決定すること
をさらに備える、Ｃ６に記載の方法。
［Ｃ９］
前記第１のトランシーバは、第１の無線アクセス技術に関連し、ここにおいて、前記共存干渉が、前記複数のトランシーバのうちの第２の無線アクセス技術に関連する第２のトランシーバから生じる、Ｃ１に記載の方法。
［Ｃ１０］
前記干渉された時間周波数リソースを識別することは、
前記第２のトランシーバから、アクティブな送信または受信に関連する情報を受け取ることと、
前記受け取られた情報に少なくとも部分的に基づいて、前記干渉された時間周波数リソースのリソース競合を決定することと
を備える、Ｃ９に記載の方法。
［Ｃ１１］
前記干渉された時間周波数リソースを識別することは、
前記受信された信号に関連する第１のセル固有基準（ＣＲＳ）信号の第１の電力レベルと前記受信された信号に関連する第２のＣＲＳ信号の第２の電力レベルとを入手することと、
前記第１の電力レベルと前記第２の電力レベルとを比較することと、
前記第１の電力レベルと前記第２の電力レベルとの前記比較に基づいて前記干渉された時間周波数リソースを決定することと
を備える、Ｃ１に記載の方法。
［Ｃ１２］
複数のトランシーバを備えるワイヤレスデバイスの第１のトランシーバを介して信号を受信するための手段と、
干渉された時間周波数リソースを識別するための手段と、前記干渉された時間周波数リソースが、共存干渉を受ける前記受信された信号の時間周波数リソースである、
前記干渉された時間周波数リソースに少なくとも部分的に基づいて、前記受信された信号の復号動作中に前記受信された信号に関するリソース固有軽減アクションを適用するための手段と
を備える、ワイヤレス通信のための装置。
［Ｃ１３］
前記リソース固有軽減アクションを適用するための手段は、
前記受信された信号のシンボル期間、スロット、サブフレーム、コードブロック、または副搬送波の少なくとも一部に関して前記受信された信号のサンプルをヌルにするための手段と、
前記ヌルにされたサンプルを前記復号動作に入力するための手段と
を備える、Ｃ１２に記載の装置。
［Ｃ１４］
前記リソース固有軽減アクションを適用するための手段は、
前記受信された信号のシンボル期間、スロット、サブフレーム、コードブロック、または副搬送波の少なくとも一部に関して前記受信された信号のサンプルの前記復号動作をスキップするための手段
を備える、Ｃ１２に記載の装置。
［Ｃ１５］
前記干渉された時間周波数リソースは、複数の送信の中からの送信に関連し、ここにおいて、前記複数の送信が、コードブロックに関連し、
前記リソース固有軽減アクションを適用するための手段は、前記復号動作中に前記送信の復号をスキップするための手段を備える
Ｃ１２に記載の装置。
［Ｃ１６］
前記干渉された時間周波数リソースは、複数の送信の中からの送信に関連し、ここにおいて、前記複数の送信が、コードブロックに関連し、
前記リソース固有軽減アクションを適用するための手段は、前記復号動作中に前記送信の復号された出力に対応する少なくとも１つの対数尤度比（ＬＬＲ）インスタンスをスキップしまたはヌルにするための手段を備える
Ｃ１２に記載の装置。
［Ｃ１７］
前記第１のトランシーバは、第１の無線アクセス技術に関連し、
前記共存干渉は、前記複数のトランシーバのうちの第２の無線アクセス技術に関連する第２のトランシーバから生じ、
前記干渉された時間周波数リソースを識別するための手段は、
前記第２のトランシーバから、アクティブな送信または受信に関連する情報を受け取るための手段と、
前記受け取られた情報に少なくとも部分的に基づいて、前記干渉された時間周波数リソースのリソース競合を決定するための手段と
を備える、Ｃ１２に記載の装置。
［Ｃ１８］
前記干渉された時間周波数リソースを識別するための手段は、
前記受信された信号に関連する第１のセル固有基準（ＣＲＳ）信号の第１の電力レベルと前記受信された信号に関連する第２のＣＲＳ信号の第２の電力レベルとを入手するための手段と、
前記第１の電力レベルと前記第２の電力レベルとを比較するための手段と、
前記第１の電力レベルと前記第２の電力レベルとの前記比較に基づいて前記干渉された時間周波数リソースを決定するための手段と
を備える、Ｃ１２に記載の装置。
［Ｃ１９］
メモリと、
前記メモリに結合された少なくとも１つのプロセッサとを備え、前記プロセッサは、
複数のトランシーバを備えるワイヤレスデバイスの第１のトランシーバを介して信号を受信することと、
干渉された時間周波数リソースを識別することと、前記干渉された時間周波数リソースが、共存干渉を受ける前記受信された信号の時間周波数リソースである、
前記干渉された時間周波数リソースに少なくとも部分的に基づいて、前記受信された信号の復号動作中に前記受信された信号に関するリソース固有軽減アクションを適用することと
を行うように構成される、ワイヤレス通信デバイス。
［Ｃ２０］
前記プロセッサは、
前記受信された信号のシンボル期間、スロット、サブフレーム、コードブロック、または副搬送波の少なくとも一部に関して前記受信された信号のサンプルをヌルにし、
前記ヌルにされたサンプルを前記復号動作に入力する
ようにさらに構成される、Ｃ１９に記載のワイヤレス通信デバイス。
［Ｃ２１］
前記プロセッサは、
前記受信された信号のシンボル期間、スロット、サブフレーム、コードブロック、または副搬送波の少なくとも一部に関して前記受信された信号のサンプルの前記復号動作をスキップする
ようにさらに構成される、Ｃ１９に記載のワイヤレス通信デバイス。
［Ｃ２２］
前記干渉された時間周波数リソースは、複数の送信の中からの送信に関連し、ここにおいて、前記複数の送信が、コードブロックに関連し、ここにおいて、前記プロセッサが、前記復号動作中に前記送信の復号をスキップするようにさらに構成される、Ｃ１９に記載のワイヤレス通信デバイス。
［Ｃ２３］
前記干渉された時間周波数リソースは、複数の送信の中からの送信に関連し、ここにおいて、前記複数の送信が、コードブロックに関連し、
前記プロセッサは、前記復号動作中に前記送信の復号された出力に対応する少なくとも１つの対数尤度比（ＬＬＲ）インスタンスをスキップしまたはヌルにするようにさらに構成される
Ｃ１９に記載のワイヤレス通信デバイス。
［Ｃ２４］
前記第１のトランシーバは、第１の無線アクセス技術に関連し、
前記共存干渉は、前記複数のトランシーバのうちの第２の無線アクセス技術に関連する第２のトランシーバから生じ、
前記プロセッサは、
前記第２のトランシーバから、アクティブな送信または受信に関連する情報を受け取り、
前記受け取られた情報に少なくとも部分的に基づいて、前記干渉された時間周波数リソースのリソース競合を決定する
ようにさらに構成される、Ｃ１９に記載のワイヤレス通信デバイス。
［Ｃ２５］
前記プロセッサは、
前記受信された信号に関連する第１のセル固有基準（ＣＲＳ）信号の第１の電力レベルと前記受信された信号に関連する第２のＣＲＳ信号の第２の電力レベルとを入手し、
前記第１の電力レベルと前記第２の電力レベルとを比較し、
前記第１の電力レベルと前記第２の電力レベルとの前記比較に基づいて前記干渉された時間周波数リソースを決定する
ようにさらに構成される、Ｃ１９に記載のワイヤレス通信デバイス。
［Ｃ２６］
ワイヤレス通信デバイス上で動作可能であり、非一時的コンピュータ可読媒体上に記憶され、命令を備える、コンピュータプログラム製品であって、前記命令は、
複数のトランシーバを備えるワイヤレスデバイスの第１のトランシーバを介して信号を受信することと、
干渉された時間周波数リソースを識別することと、前記干渉された時間周波数リソースが、共存干渉を受ける前記受信された信号の時間周波数リソースである、
前記干渉された時間周波数リソースに少なくとも部分的に基づいて、前記受信された信号の復号動作中に前記受信された信号に関するリソース固有軽減アクションを適用することと
を行うためにプロセッサによって実行可能である、コンピュータプログラム製品。
［Ｃ２７］
前記命令は、
前記受信された信号のシンボル期間、スロット、サブフレーム、コードブロック、または副搬送波の少なくとも一部に関して前記受信された信号のサンプルをヌルにし、
前記ヌルにされたサンプルを前記復号動作に入力する
ために前記プロセッサによって実行可能である、Ｃ２６に記載のコンピュータプログラム製品。
［Ｃ２８］
前記命令は、
前記受信された信号のシンボル期間、スロット、サブフレーム、コードブロック、または副搬送波の少なくとも一部に関して前記受信された信号のサンプルの前記復号動作をスキップする
ために前記プロセッサによって実行可能である、Ｃ２６に記載のコンピュータプログラム製品。
［Ｃ２９］
前記干渉された時間周波数リソースは、複数の送信の中からの送信に関連し、ここにおいて、前記複数の送信が、コードブロックに関連し、ここにおいて、前記命令が、
前記復号動作中に前記送信の復号をスキップする
ために前記プロセッサによって実行可能である、Ｃ２６に記載のコンピュータプログラム製品。
［Ｃ３０］
前記干渉された時間周波数リソースは、複数の送信の中からの送信に関連し、ここにおいて、前記複数の送信が、コードブロックに関連し、ここにおいて、前記命令が、
前記復号動作中に前記送信の復号された出力に対応する少なくとも１つの対数尤度比（ＬＬＲ）インスタンスをスキップしまたはヌルにする
ために前記プロセッサによって実行可能である、Ｃ２６に記載のコンピュータプログラム製品。
【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
複数のトランシーバを備えるワイヤレスデバイスの第１のトランシーバを介して信号を受信することと、
共存干渉を受ける前記受信された信号の時間周波数リソースのサブセットを識別することと、
復号された出力を入手するために前記受信された信号の復号動作を実行することと、ここにおいて、前記復号動作を前記実行することは、前記復号動作の入力において時間周波数リソースの前記識別されたサブセットにリソース固有軽減を適用することを備える、
を備える、ワイヤレス通信の方法。
【請求項２】
前記リソース固有軽減を適用することは、
前記受信された信号のシンボル期間、スロット、サブフレーム、コードブロック、または副搬送波の少なくとも一部に関して前記受信された信号のサンプルをヌルにすることと、
前記ヌルにされたサンプルを前記復号動作に入力することと
を備える、請求項１に記載の方法。
【請求項３】
前記受信された信号の前記サンプルを前記ヌルにすることは、前記受信された信号のうちの少なくとも１つのサンプルをデフォルト値にセットすることを備える、請求項２に記載の方法。
【請求項４】
時間周波数リソースの前記識別されたサブセットは、コードブロックの複数の送信の中からの送信に関連し、ここにおいて、前記複数の送信のうちの少なくとも１つが、前記コードブロックの再送信を備え、
前記リソース固有軽減を適用することは、前記復号動作中に前記送信の復号をスキップすることを備える
請求項１に記載の方法。
【請求項５】
時間周波数リソースの前記識別されたサブセットは、複数の送信の中からの送信に関連し、ここにおいて、前記複数の送信のうちの少なくとも１つが、コードブロックの再送信に関連し、
前記リソース固有軽減を適用することは、前記復号動作中に入手された少なくとも１つの対数尤度比（ＬＬＲ）インスタンスをスキップしまたはヌルにすることを備える
請求項１に記載の方法。
【請求項６】
前記復号動作中に前記複数の送信からのＬＬＲインスタンスの複数のセットをソフトコンバイニングすること
をさらに備える、請求項５に記載の方法。
【請求項７】
時間周波数リソースの前記識別されたサブセットに基づいて、前記少なくとも１つのスキップされまたはヌルにされるＬＬＲインスタンスを決定すること
をさらに備える、請求項５に記載の方法。
【請求項８】
前記第１のトランシーバは、第１の無線アクセス技術に関連し、ここにおいて、前記共存干渉が、前記複数のトランシーバのうちの第２の無線アクセス技術に関連する第２のトランシーバから生じる、請求項１に記載の方法。
【請求項９】
時間周波数リソースの前記サブセットを識別することは、
前記第２のトランシーバから、アクティブな送信または受信に関連する情報を受け取ることと、
前記受け取られた情報に少なくとも部分的に基づいて、時間周波数リソースの前記サブセットのリソース競合を決定することと
を備える、請求項８に記載の方法。
【請求項１０】
時間周波数リソースの前記サブセットを識別することは、
前記受信された信号に関連する第１のセル固有基準（ＣＲＳ）信号の第１の電力レベルと前記受信された信号に関連する第２のＣＲＳ信号の第２の電力レベルとを入手することと、
前記第１の電力レベルと前記第２の電力レベルとを比較することと、
前記第１の電力レベルと前記第２の電力レベルとの前記比較に基づいて時間周波数リソースの前記サブセットを決定することと
を備える、請求項１に記載の方法。
【請求項１１】
複数のトランシーバを備えるワイヤレスデバイスの第１のトランシーバを介して信号を受信するための手段と、
共存干渉を受ける前記受信された信号の時間周波数リソースのサブセットを識別するための手段と、
復号された出力を入手するために前記受信された信号の復号動作を実行するための手段と、ここにおいて、前記復号動作を前記実行することは、前記復号動作の入力において時間周波数リソースの前記識別されたサブセットにリソース固有軽減を適用することを備える、
を備える、ワイヤレス通信のための装置。
【請求項１２】
前記リソース固有軽減を適用するための前記手段は、
前記受信された信号のシンボル期間、スロット、サブフレーム、コードブロック、または副搬送波の少なくとも一部に関して前記受信された信号のサンプルをヌルにするための手段と、
前記ヌルにされたサンプルを前記復号動作に入力するための手段と
を備える、請求項１１に記載の装置。
【請求項１３】
時間周波数リソースの前記識別されたサブセットは、コードブロックの複数の送信の中からの送信に関連し、ここにおいて、前記複数の送信のうちの少なくとも１つが、前記コードブロックの再送信を備え、
前記リソース固有軽減を適用するための前記手段は、前記復号動作中に前記送信の復号をスキップするための手段を備える
請求項１１に記載の装置。
【請求項１４】
時間周波数リソースの前記識別されたサブセットは、複数の送信の中からの送信に関連し、ここにおいて、前記複数の送信が、コードブロックに関連し、
前記リソース固有軽減を適用するための前記手段は、前記復号動作中に入手された少なくとも１つの対数尤度比（ＬＬＲ）インスタンスをスキップしまたはヌルにするための手段を備える
請求項１１に記載の装置。
【請求項１５】
前記第１のトランシーバは、第１の無線アクセス技術に関連し、
前記共存干渉は、前記複数のトランシーバのうちの第２の無線アクセス技術に関連する第２のトランシーバから生じ、
時間周波数リソースの前記サブセットを識別するための前記手段は、
前記第２のトランシーバから、アクティブな送信または受信に関連する情報を受け取るための手段と、
前記受け取られた情報に少なくとも部分的に基づいて、時間周波数リソースの前記サブセットのリソース競合を決定するための手段と
を備える、請求項１１に記載の装置。
【請求項１６】
時間周波数リソースの前記サブセットを識別するための手段は、
前記受信された信号に関連する第１のセル固有基準（ＣＲＳ）信号の第１の電力レベルと前記受信された信号に関連する第２のＣＲＳ信号の第２の電力レベルとを入手するための手段と、
前記第１の電力レベルと前記第２の電力レベルとを比較するための手段と、
前記第１の電力レベルと前記第２の電力レベルとの前記比較に基づいて時間周波数リソースの前記サブセットを決定するための手段と
を備える、請求項１１に記載の装置。
【請求項１７】
メモリと、
前記メモリに結合された少なくとも１つのプロセッサとを備え、前記プロセッサは、
複数のトランシーバを備えるワイヤレスデバイスの第１のトランシーバを介して信号を受信することと、
共存干渉を受ける前記受信された信号の時間周波数リソースのサブセットを識別することと、
復号された出力を入手するために前記受信された信号の復号動作を実行することと、ここにおいて、前記復号動作を前記実行することは、前記復号動作の入力において時間周波数リソースの前記識別されたサブセットにリソース固有軽減を適用することを備える、
を行うように構成される、ワイヤレス通信デバイス。
【請求項１８】
前記プロセッサは、
前記受信された信号のシンボル期間、スロット、サブフレーム、コードブロック、または副搬送波の少なくとも一部に関して前記受信された信号のサンプルをヌルにし、
前記ヌルにされたサンプルを前記復号動作に入力する
ようにさらに構成される、請求項１７に記載のワイヤレス通信デバイス。
【請求項１９】
時間周波数リソースの前記識別されたサブセットは、コードブロックの複数の送信からの送信に関連し、ここにおいて、前記複数の送信のうちの少なくとも１つが、前記コードブロックの再送信を備え、ここにおいて、前記プロセッサが、前記復号動作中に前記送信の復号をスキップするようにさらに構成される、請求項１７に記載のワイヤレス通信デバイス。
【請求項２０】
時間周波数リソースの前記識別されたサブセットは、複数の送信からの送信に関連し、ここにおいて、前記複数の送信のうちの少なくとも１つが、コードブロックの再送信に関連し、
前記プロセッサは、前記復号動作中に入手された少なくとも１つの対数尤度比（ＬＬＲ）インスタンスをスキップしまたはヌルにするようにさらに構成される
請求項１７に記載のワイヤレス通信デバイス。
【請求項２１】
前記第１のトランシーバは、第１の無線アクセス技術に関連し、
前記共存干渉は、前記複数のトランシーバのうちの第２の無線アクセス技術に関連する第２のトランシーバから生じ、
前記プロセッサは、
前記第２のトランシーバから、アクティブな送信または受信に関連する情報を受け取り、
前記受け取られた情報に少なくとも部分的に基づいて、時間周波数リソースの前記サブセットのリソース競合を決定する
ようにさらに構成される、請求項１７に記載のワイヤレス通信デバイス。
【請求項２２】
前記プロセッサは、
前記受信された信号に関連する第１のセル固有基準（ＣＲＳ）信号の第１の電力レベルと前記受信された信号に関連する第２のＣＲＳ信号の第２の電力レベルとを入手し、
前記第１の電力レベルと前記第２の電力レベルとを比較し、
前記第１の電力レベルと前記第２の電力レベルとの前記比較に基づいて時間周波数リソースの前記サブセットを決定する
ようにさらに構成される、請求項１７に記載のワイヤレス通信デバイス。
【請求項２３】
ワイヤレス通信デバイス上で動作可能であり、非一時的コンピュータ可読媒体上に記憶され、命令を備える、コンピュータプログラム製品であって、前記命令は、
複数のトランシーバを備えるワイヤレスデバイスの第１のトランシーバを介して信号を受信することと、
共存干渉を受ける前記受信された信号の時間周波数リソースのサブセットを識別することと、
前記受信された信号の復号動作の入力において時間周波数リソースの前記識別されたサブセットにリソース固有軽減を適用することによって復号された出力を入手するために前記受信された信号の前記復号動作を実行することと、
を行うためにプロセッサによって実行可能である、コンピュータプログラム製品。
【請求項２４】
前記命令は、
前記受信された信号のシンボル期間、スロット、サブフレーム、コードブロック、または副搬送波の少なくとも一部に関して前記受信された信号のサンプルをヌルにし、
前記ヌルにされたサンプルを前記復号動作に入力する
ために前記プロセッサによって実行可能である、請求項２３に記載のコンピュータプログラム製品。
【請求項２５】
時間周波数リソースの前記識別されたサブセットは、コードブロックの複数の送信からの送信に関連し、ここにおいて、前記複数の送信のうちの少なくとも１つが、前記コードブロックの再送信を備え、ここにおいて、前記命令が、
前記復号動作中に前記送信の復号をスキップする
ために前記プロセッサによって実行可能である、請求項２３に記載のコンピュータプログラム製品。
【請求項２６】
時間周波数リソースの前記識別されたサブセットは、複数の送信からの送信に関連し、ここにおいて、前記複数の送信のうちの少なくとも１つが、コードブロックの再送信に関連し、ここにおいて、前記命令が、
前記復号動作中に前記送信の復号された出力に対応する少なくとも１つの対数尤度比（ＬＬＲ）インスタンスをスキップしまたはヌルにする
ために前記プロセッサによって実行可能である、請求項２３に記載のコンピュータプログラム製品。
【国際調査報告】
2017526314.tif 000017
2017526314.tif 000018
2017526314.tif 000019
2017526314.tif 000020
2017526314.tif 000021